(57)【特許請求の範囲】
【請求項１】
踝の上方から、または、膝下から、または、膝上のいずれかから、少なくともウエストラインまでの長さを有し、丸編地からなる運動用のスパッツであって、前記スパッツは、運動に必要な筋肉のサポートの要求に応じて、所定部分に比較的緊締力の強い部分と比較的緊締力の弱い部分がパターン状に設けられており、比較的緊締力の強い部分が、カットボス編手法によって形成された部分である運動用スパッツ。
【請求項２】
丸編地における同一コース内での度目調整によって、緊締力の変化が、更に付加されている請求項１に記載の運動用スパッツ。
【請求項３】
運動に必要な筋肉のサポートの要求が、運動に必要な筋肉、あるいは、運動により損傷を負いやすい筋肉、靭帯または腱の少なくとも1つ、に相当する箇所に対し、
ａ）筋肉の伸縮を助長するための要求、
ｂ）筋肉疲労の軽減や肉離れを予防し、また、靭帯や腱の断裂や損傷を予防するための要求、
から選ばれた要求であり、テーピング機能を有する請求項１または２のいずれかに記載の運動用スパッツ。
【請求項４】
比較的緊締力の強い部分が、少なくとも、大腿外側部の中殿筋及び／あるいは腸脛靭帯から大転子を経由し、ａ）前側において腸脛靭帯及び／あるいは外側広筋に沿って、及び／あるいは、ｂ）後側において大腿二頭筋上の一部に当接し、膝上部に至る部分である請求項１〜３のいずれかに記載の運動用スパッツ。
【請求項５】
運動用のスパッツが、踝の上方から少なくともウエストラインまでの長さを有する運動用のスパッツであって、比較的緊締力の強い部分が、少なくとも、大腿外側部の中殿筋及び／あるいは腸脛靭帯から大転子を経由し、前側部分は外側広筋及び腸脛靭帯に沿って膝蓋部を迂回する形で、膝下の前脛骨筋及び／あるいは長腓骨筋を覆いながら外果の上部に至り、後側部分は外側広筋から大腿二頭筋を経由し、腓腹筋外側頭及び外側のヒラメ筋を経由し、外果の上部近傍に至る部分である請求項１〜３のいずれかに記載の運動用スパッツ。
【請求項６】
比較的緊締力の強い部分が、少なくとも、大腿内側部の薄筋及び／あるいは大内転筋から、前方では縫工筋を経由し膝上の内側広筋に至り、後方では半腱様筋及び／あるいは半膜様筋に至る部分である請求項１〜３のいずれかに記載の運動用スパッツ。
【請求項７】
比較的緊締力の強い部分が、少なくとも、大腿内側部の薄筋から、前側部分は縫工筋を経由し膝上の内側広筋に至るとともに、膝蓋部を迂回する形で内側顆を経由し、脛骨体から内果の上部に至り、後側部分は、内側顆を経由し内側腓腹筋及び内側ヒラメ筋の一部に沿いながら、内果の上部に至る部分である請求項１〜３のいずれかに記載の運動用スパッツ。
【請求項８】
運動用のスパッツが、踝の上方から少なくともウエストラインまでの長さを有する運動用のスパッツであって、比較的緊締力の強い部分が、少なくとも、ａ）大腿外側部の中殿筋及び／あるいは腸脛靭帯から大転子を経由し、前側部分は腸脛靭帯及び外側広筋に沿って、後側部分は大腿二頭筋の一部に当接し、膝上部に至る部分と、ｂ）大腿内側部の薄筋及び／あるいは大内転筋から、前側部分は縫工筋を経由し膝上の内側広筋に至り、後側部分は半腱様筋及び／あるいは半膜様筋に当接される部分である１〜３のいずれかに記載の運動用スパッツ。
【請求項９】
運動用のスパッツが、踝の上方から少なくともウエストラインまでの長さを有する運動用のスパッツであって、比較的緊締力の強い部分が、ａ）大腿外側部の中殿筋及び／あるいは腸脛靭帯から大転子を経由し、二股に分岐し、前側分岐部分は外側広筋から腸脛靭帯に沿って膝蓋部を迂回する形で、膝下の前脛骨筋または／及び長腓骨筋を覆いながら外果の上部に至り、その後側分岐部分は大腿二頭筋を直角には横切らずに斜めに横切り、半膜様筋及び半腱様筋の下方、あるいは、内側顆の上方に至っており、ｂ）大腿内側部においては、薄筋から、前側部分は縫工筋を経由し膝上の内側広筋に至るとともに、更に膝蓋部を迂回する形で内側顆を経由し、脛骨体から内果の上部に至り、またその後側部分は内側顆を経由し、内側の腓腹筋及び内側のヒラメ筋の一部に沿いながら、内果の上部に至る部分である請求項１〜３のいずれかに記載の運動用スパッツ。
【請求項１０】
丸編地が表糸と裏糸とからなる丸編地であって、カットボス編手法によって形成される部分は、前記表糸と裏糸の間に中糸が使用された３重構造となっている請求項１〜９のいずれかに記載の運動用スパッツ。
【請求項１１】
表糸と裏糸と中糸が、次の（Ａ）及び（Ｂ）から選ばれたいずれかである請求項１０に記載の運動用スパッツ。
（Ａ）表糸と中糸が吸水速乾性糸からなり、裏糸が▲１▼弾性糸及び▲２▼吸水速乾性糸でカバリングされた弾性糸からなる群から選ばれたいずれかの弾性糸からなる。
（Ｂ）表糸と中糸のいずれか一方が吸水速乾性糸からなり、裏糸が▲２▼吸水速乾性糸でカバリングされた弾性糸からなる。
【請求項１２】
表糸と中糸が天然繊維糸からなり、裏糸が弾性糸からなる請求項１０に記載の運動用スパッツ。
【請求項１３】
表糸と裏糸と中糸が、下記（Ａ）及び（Ｂ）から選ばれたいずれかである請求項１０に記載の運動用スパッツ。
（Ａ）表糸と中糸が発水性に優れた合成繊維糸からなり、裏糸が▲１▼弾性糸及び▲２▼発水性に優れた合成繊維糸でカバリングされた弾性糸からなる群から選ばれたいずれかの弾性糸からなる。
（Ｂ）表糸と中糸のいずれか一方が発水性に優れた合成繊維糸からなり、裏糸が▲２▼発水性に優れた合成繊維糸でカバリングされた弾性糸からなる。
【請求項１４】
表糸と中糸が、天然繊維糸、合成繊維糸、または天然繊維と合成繊維の混合糸から選ばれた繊維糸からなり、且つ、ａ）表糸が天然繊維糸の場合には、中糸は、合成繊維糸、または、天然繊維と合成繊維の混合糸から選ばれた１種であり、ｂ）表糸が合成繊維糸の場合には、中糸は、天然繊維糸、または、天然繊維と合成繊維の混合糸から選ばれた１種であり、ｃ）表糸が天然繊維と合成繊維の混合糸の場合には、中糸は、天然繊維糸、合成繊維糸、または、天然繊維と合成繊維の混合糸から選ばれた１種である請求項１０に記載の運動用スパッツ。
【請求項１５】
運動用のスパッツが、踝の上方から、または、膝下から、少なくともウエストラインまでの長さを有するスパッツであって、度目調整によって、比較的大きな度目に調整されて緊締力が比較的小さくされた部分が膝蓋部である請求項２〜１４のいずれかに記載の運動用スパッツ。
【請求項１６】
運動用のスパッツが、踝の上方から、または、膝下から、少なくともウエストラインまでの長さを有するスパッツであって、度目調整によって、比較的大きな度目に調整されることにより緊締力が比較的小さくされた部分が、膝蓋部ならびに臀部のほぼ中央部分である請求項２〜１４のいずれかに記載の運動用スパッツ。
【発明の詳細な説明】
【０００１】
【発明の属する技術分野】
本発明は、運動用のスパッツに関するものであり、特に本発明は、丸編地からなり、テーピング機能などを付与した運動用のスパッツに関するものである。
【０００２】
【従来の技術】
近年スポーツにおいては、筋肉の伸縮を助長し運動能力を向上させたり、筋肉疲労の軽減や肉離れの予防、また、靭帯や腱の断裂や損傷などを予防する目的で、人体の必要個所にテーピングを施す事は、スポーツにおいてしばしば行われている。
【０００３】
しかし、テーピングは、自分自身で施すことは困難であり、他の人にテーピングしてもらう必要があるが、素人ではテーピングはできないので、専門家にいちいちテーピングをしてもらう必要があり、着脱が不便である。また、長時間着用することができないし、皮膚障害に繋がることもある等の問題がある。
【０００４】
そこで、近年は、テーピング機能を付与し、更には、スポーツなどの運動能力を補助するため特定の筋肉をサポートする運動用のスパッツ（運動用のタイツとも言う）等が提案されている。（日本特開平４-３４３８６８号、日本特開平４-５７９０２号、日本特開平４-５０３０２号、日本特開平８−８１８０７号、日本特開平９−２４１９０６号、日本特開平１０−２８０２０９号など）。
【０００５】
このようなテーピング機能を有する運動用のスパッツとしては、通常、テーピング機能を付与したい部分の緊締力を大きくした衣料が用いられている。このように、運動用のスパッツの所定部分の緊締力を大きくするには、緊締力を大きくしたい部分に適宜の当て布を衣料本体生地の裏側または表側から当てがうことが最も一般的に行われている。
【０００６】
しかし、当て布によって緊締力の大きい部分を形成した衣類は、当て布の存在する部分は、布が二重となるため、厚みが厚くなる。また、当て布を所定の形に裁断したり、それを衣類本体に縫合するために、その分の手間がかかり、製造工程が多くなり、コストアップに繋がると言う問題がある。
【０００７】
また、弾力性のある合成樹脂をコーティングして緊締力を向上させる手法も知られているが、この場合には、合成樹脂層が、布の編目をふさいでしまうため、通気性が大幅に低下し、蒸れやすいと言う問題がある。また、合成樹脂層が肌に直接触れるので、着用感が低下すると言う問題がある。
【０００８】
また、丸編機を用い、当て布を使用せずに、緊締力を大きくすべき部分と緊締力の小さい部分とを編み分けて、緊締力の比較的大きな部分と、緊締力の比較的小さい部分とを所定のパターン状に形成する手法も知られており、この場合には、上述したような当て布を用いる手法や、合成樹脂コーティング品の欠点の少なくとも一部が解消できる。したがって、近年、丸編地を編み分けて、緊締力の比較的大きな部分と、緊締力の比較的小さい部分とを所定のパターン状に形成する手法も普及しつつある。
【０００９】
従来、丸編地を編み分けて、緊締力の比較的大きな部分と、緊締力の比較的小さい部分とを形成する手法としては、
▲１▼丸編において、編み組織は変えずに、ウェール方向における度目調整により、緊締力の比較的大きな部分と、緊締力の比較的小さい部分とを形成する方法（日本特開平３−８８０１号、日本特開平６−２９９４０１号）。ここで、度目調整とは、編目ループを大きくしたり、小さくしたりして編み分ける方法で、通常、編目ループを小さくして編んだ部分は、編目ループを大きくして編んだ部分に比べて緊締力が大きくなる。
【００１０】
▲２▼丸編において、例えば、ある部分をフロートリブ編みにし、他の部分をタックメッシュ編みにする等のように、編組織を変えて、緊締力の比較的大きな部分と、緊締力の比較的小さい部分とを形成する方法（日本特開平９‐２９６３０４号）。
等が知られている。
【００１１】
▲１▼の方法は、従来の丸編機では、編み組織を変えずに度目調整するには、同一コース内では編目ループを小さくしたり、大きくしたり出来ない。即ち同一コース内での度目調整はされていない。それ故、例えば図７に示したように、Ｃ1番目のコースからＣm番目のコースまでは度目の小さなループで編み、Ｃm番目の次のコースからＣn番目のコースまでは度目の大きなループで編み、Ｃn番目の次のコースからＣz番目のコースまでは度目の小さなループで編むというような方法が採用されている。つまり、コース方向には度目は変化しておらず、ウェール方向にのみ度目が変化している衣類しか提案されていない。尚、図７は、従来の丸編地の衣類に採用されている度目調整を説明するための生地の一部の平面図であり、図７において矢印Ｗは丸編地のウェール方向、矢印Ｃは丸編地のコース方向を示している。同様に、従来の丸編地の衣類に採用されている度目調整を糸の状態で説明するため丸編地の編組織を概念的に示した平面図である図５を引用して説明するなら、コースｗとコースｘの糸は度目が小さく（編ループが小さい）、従って緊締力が強くなる。当該コースｗやコースｘの方向で度目は変化していない。また、コースｙとコースｚの糸は度目が大きく（編ループが大きい）、従って緊締力が弱くなる。当該コースｙやコースｚの方向で度目は変化していない。矢印Ｗのウェール方向にのみ度目が変化している。
【００１２】
したがって、この編み分け方法では、編み分けパターンの境界が直線状になり、任意のパターン状に編み分けることができない。それ故、コース方向に比較的緊締力の強い部分と比較的緊締力の弱い部分を設けることができないばかりでなく、所望の部分を所望のパターン状に、緊締力を強くしたり弱くするなどの、編み分けパターンを任意に設定する事ができない。しかも、度目調整による編み分けでは、緊締力の大きい部分と小さい部分との緊締力の差を大きくする事は困難である。
【００１３】
▲２▼の方法は、所望の部分を所望のパターン状に緊締力を強くしたり、弱くするなどの、編み分けパターンを任意に設定する事ができ、また、緊締力の大きい部分と小さい部分との緊締力の差をある程度大きくする事も可能である。しかしながら、緊締力の大きい部分と小さい部分とで編み組織が変わってしまうため、緊締力の大きい部分と小さい部分とのパターンが極めてはっきりと現れてしまうとともに、編組織が変わることにより、歪が生じて、編み組織の変わった部分の境界で凹凸差が極めて顕著になり、非着用状態で、衣料の表面がフラットでなく、前記緊締力の大きい部分と小さい部分とのパターンが凹凸状になり、歪んだ形となり製品の見栄えが非常に低下すると言う問題がある。
【００１４】
また、丸編みの場合には、経編ほど編み密度が高くできないので、度目調整や編組織変化などによって、緊締力の大きい部分の緊締力を比較的高いレベルにする事ができにくいし、もし、緊締力の差を大きくすると、歪が生じて、非着用状態で、衣料の表面がフラットでなく、前記緊締力の大きい部分と小さい部分とのパターンが凹凸状になり、ひずんだ形になり、製品の見栄えが非常に低下すると言う問題が生じる。
【００１５】
また、カットボス手法によって、靴下などの表側に柄を付ける事は知られているが、柄を付けることが目的であり、カットボス手法を、緊縮力に変化を付けるためや、筋肉疲労の軽減や肉離れを予防し、また、靭帯や腱の断裂や損傷などを予防したり、あるいは、運動能力を補助するため特定の筋肉をサポートするテーピング機能を持たせるために応用することは全く知られていなかった。
【００１６】
【発明が解決しようとする課題】
本発明は、緊締力の比較的大きな部分と、緊締力の比較的小さい部分とを、所定のパターン状に編み分けて形成された丸編地からなるテーピング機能を有する運動用のスパッツにおいて、上述した問題を解決し、緊締力の比較的強い部分と弱い部分を要求に応じて、任意の所望のパターン状に設ける事が出来、ひずみがそれほど大きくならないので、完成品における非着用状態での緊締力の比較的大きな部分と、緊締力の比較的小さい部分のパターンが、歪みにより顕著に目立ってしまうこともなく、しかも、編み組織の変わった部分の境界で凹凸差があまり顕著に生じず、非着用状態で衣料の表面が比較的フラットで、製品の見栄えが極めて良好であり、緊締力の大きい部分と小さい部分との緊締力の差を大きくする事が可能であり、筋肉疲労の軽減や肉離れを予防し、また、靭帯や腱の断裂や損傷などを予防したり、あるいは、運動能力を補助するため特定の筋肉をサポートするテーピング機能を有する運動用のスパッツを提供する事を目的とする。
【００１７】
【課題を解決するための手段】
上記の課題を解決するために、本発明は、次の様なスパッツを提供するものである。尚、下記における［  ］内に各請求項に相当する内容の記載の前に補助的見出しを設けているが、これは、本発明の内容を参照する際に、便利なように設けた補助的見出しであって、何ら、本発明を限定するものではない。
【００１８】
［スパッツ全体：その１］
（１）踝の上方から、または、膝下から、または、膝上のいずれかから、少なくともウエストラインまでの長さを有し、丸編地からなる運動用のスパッツであって、前記スパッツは、運動に必要な筋肉のサポートの要求に応じて、所定部分に比較的緊締力の強い部分と比較的緊締力の弱い部分がパターン状に設けられており、比較的緊締力の強い部分が、カットボス編手法によって形成された部分である運動用スパッツ。
【００１９】
本発明の運動用スパッツにおいては、緊締力の比較的強い部分と弱い部分を要求に応じて、任意の所望のパターン状に設ける事が出来、ひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好であり、緊締力の大きい部分と小さい部分との緊締力の差を大きくする事が可能であり、筋肉疲労の軽減や肉離れを予防し、また、靭帯や腱の断裂や損傷などを予防したり、あるいは、運動能力を補助するため特定の筋肉をサポートするのに好適なテーピング機能を有する運動用のスパッツが提供できる。
【００２０】
［スパッツ全体：その２］
（２）丸編地における同一コース内での度目調整によって、緊締力の変化が、更に付加されている前記（１）項に記載の運動用スパッツ。
【００２１】
上記の本発明の好ましい態様とすることにより、度目調整とカットボス編手法とが、併用されることにより、更に必要な部分の緊締力をより小さくしたり、より大きくしたりすることが出来、ニーズに応じた緊締力変化が付与された、運動用スパッツが提供され好ましい。しかも、同一コース内での度目調整を採用することによって、度目調整がなされた部分のパターンを任意の形状のパターンとすることができ、度目調整部分のパターンを要求に応じた任意のパターンに形成できる。
【００２２】
［スパッツ全体：その３］
（３）運動に必要な筋肉のサポートの要求が、運動に必要な筋肉、あるいは、運動により損傷を負いやすい筋肉、靭帯または腱の少なくとも1つ、に相当する箇所に対し、
ａ）筋肉の伸縮を助長するための要求、
ｂ）筋肉疲労の軽減や肉離れを予防し、また、靭帯や腱の断裂や損傷を予防するための要求、
から選ばれた要求であり、テーピング機能を有する前記（１）項または（２）項のいずれかに記載の運動用スパッツ。
【００２３】
上記の本発明の好ましい態様とすることにより、運動能力を補助または高めるための特定の筋肉をサポートしたり、あるいは、筋肉疲労の軽減や肉離れを予防し、また、靭帯や腱の断裂や損傷などを予防するのに好適な、テーピング機能を有する運動用のスパッツが提供される。運動用のスパッツのどの部位を比較的緊締力の強い部分で形成し、どの部分を比較的緊締力の弱い部分で形成するかを設計するに当たって、上述の要求をできるだけ満たすようにテーピング技術を応用して、設計でき好ましい。
【００２４】
［大腿の外側部］
（４）比較的緊締力の強い部分が、少なくとも、大腿外側部の中殿筋及び／あるいは腸脛靭帯から大転子を経由し、ａ）前側において腸脛靭帯及び／あるいは外側広筋に沿って、及び／あるいは、ｂ）後側において大腿二頭筋上の一部に当接し、膝上部に至る部分である前記（１）〜（３）項のいずれかに記載の運動用スパッツ。
【００２５】
上記の本発明の好ましい態様とすることにより、腰部から大腿部の左右側面の筋肉をサポートでき、下半身を使う諸運動時の筋肉の働きを補助するのに好適な運動用スパッツが提供でき、好ましい。
【００２６】
［大腿と下腿の外側部］
（５）運動用のスパッツが、踝の上方から少なくともウエストラインまでの長さを有する運動用のスパッツであって、比較的緊締力の強い部分が、少なくとも、大腿外側部の中殿筋及び／あるいは腸脛靭帯から大転子を経由し、前側部分は外側広筋及び腸脛靭帯に沿って膝蓋部を迂回する形で、膝下の前脛骨筋及び／あるいは長腓骨筋を覆いながら外果の上部に至り、後側部分は外側広筋から大腿二頭筋を経由し、腓腹筋外側頭及び外側のヒラメ筋を経由し、外果の上部近傍に至る部分である前記（１）〜（３）項のいずれかに記載の運動用スパッツ。
【００２７】
上記の本発明の好ましい態様とすることにより、腰部から大腿部、下腿部の外側面の筋肉及び、膝部を外側からサポートし、下半身を使う諸運動、特に膝の屈伸を伴う動作時の、筋肉の働きを補助する機能が発揮できる。下半身全体の筋肉の働きが、ばらばらになり、無駄な働きをしないよう、筋肉に有効な働きをさせることを促進させることにも繋がる運動用スパッツを提供でき好ましい。
【００２８】
［大腿の内側部］
（６）比較的緊締力の強い部分が、少なくとも、大腿内側部の薄筋及び／あるいは大内転筋から、前方では縫工筋を経由し膝上の内側広筋に至り、後方では半腱様筋及び／あるいは半膜様筋に至る部分である前記（１）〜（３）項のいずれかに記載の運動用スパッツ。
【００２９】
上記の本発明の好ましい態様とすることにより、大腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのに好適な、運動用スパッツが提供され好ましい。
【００３０】
また、大腿内側の筋肉は、加齢により衰えやすい筋肉でもあるが、加齢などで衰えてしまった筋肉の働きのサポートにも好適な運動用スパッツが提供され好ましい。
【００３１】
［大腿と下腿の内側部］
（７）比較的緊締力の強い部分が、少なくとも、大腿内側部の薄筋から、前側部分は縫工筋を経由し膝上の内側広筋に至るとともに、膝蓋部を迂回する形で内側顆を経由し、脛骨体から内果の上部に至り、後側部分は、内側顆を経由し内側腓腹筋及び内側ヒラメ筋の一部に沿いながら、内果の上部に至る部分である前記（１）〜（３）項のいずれかに記載の運動用スパッツ。
【００３２】
上記の本発明の好ましい態様とすることにより、大腿部内側及び下腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのにより一層好適な、運動用スパッツが提供され好ましい。
【００３３】
また、大腿内側の筋肉は、加齢により衰えやすい筋肉でもあるので、加齢などで衰えてしまった筋肉の働きのサポートにもより一層好適な運動用スパッツが提供され好ましい。
【００３４】
［大腿の外側と内側部］
（８）運動用のスパッツが、踝の上方から少なくともウエストラインまでの長さを有する運動用のスパッツであって、比較的緊締力の強い部分が、少なくとも、ａ）大腿外側部の中殿筋及び／あるいは腸脛靭帯から大転子を経由し、前側部分は腸脛靭帯及び外側広筋に沿って、後側部分は大腿二頭筋の一部に当接し、膝上部に至る部分と、ｂ）大腿内側部の薄筋及び／あるいは大内転筋から、前側部分は縫工筋を経由し膝上の内側広筋に至り、後側部分は半腱様筋及び／あるいは半膜様筋に当接される部分である前記（１）〜（３）項のいずれかに記載の運動用スパッツ。
【００３５】
上記の本発明の好ましい態様とすることにより、腰部から、大腿部の筋肉を、外側と内側からサポートでき、また、両側からサポートされることから、筋肉がバランスよい働きをすることを補助出来るので、好ましい。
【００３６】
［大腿と下腿の外側と内側部］
（９）運動用のスパッツが、踝の上方から少なくともウエストラインまでの長さを有する運動用のスパッツであって、比較的緊締力の強い部分が、ａ）大腿外側部の中殿筋及び／あるいは腸脛靭帯から大転子を経由し、二股に分岐し、前側分岐部分は外側広筋から腸脛靭帯に沿って膝蓋部を迂回する形で、膝下の前脛骨筋または／及び長腓骨筋を覆いながら外果の上部に至り、その後側分岐部分は大腿二頭筋を直角には横切らずに斜めに横切り、半膜様筋及び半腱様筋の下方、あるいは、内側顆の上方に至っており、ｂ）大腿内側部においては、薄筋から、前側部分は縫工筋を経由し膝上の内側広筋に至るとともに、更に膝蓋部を迂回する形で内側顆を経由し、脛骨体から内果の上部に至り、またその後側部分は内側顆を経由し、内側の腓腹筋及び内側のヒラメ筋の一部に沿いながら、内果の上部に至る部分である前記（１）〜（３）項のいずれかに記載の運動用スパッツ。
【００３７】
上記の本発明の好ましい態様とすることにより、腰部、大腿部、下腿部、及び膝部をサポートでき、下肢の筋肉の働きをバランスよく補助できる。特に、膝蓋骨を、強緊締力部でもってその上下左右からサポートすることによって、膝の動きを不必要に阻害せずに、運動による負担のかかり易い膝をサポートできる。また、大腿背面の筋肉である、ハムストリングスもサポートするため、様々な下肢の運動、動作を有効に補助できる運動用スパッツが提供でき、好ましい。
【００３８】
ここで特にハムストリングスについて説明するならば、ハムストリングスとは、大腿部後面にある、大腿二頭筋、半腱様筋及び半膜様筋を併せたものを指し、これらの筋肉は、例えば、▲１▼走る動作の中でも、特に加速する局面で地面を強く後ろに押す際、▲２▼ジャンプ時により高く跳ぶため、▲３▼自転車のペダルを踏み込んだ後に引き上げる際などに主として使われる筋肉であり、股関節を伸ばし、膝関節を曲げたり、内転する働きを持つものである。このような作用を有するハムストリングスは、その他、ラグビー、サッカー、バスケットボール、バレーボール、野球、ゴルフ、競輪、ボブスレーなどの様々なスポーツにおいても重要な働きを有するものである。一例を挙げると、ラグビーではスクラム後にブレイクしてから、素早く走るという動作に結び付くものであり、大腿後面をうまく使えていない場合には、力のいれどころを大腿部前面から後面に切り換える必要が生じ、スムーズにその動作が行なえないという問題が生じる。バスケットボールにおいてもリバウンドを取った後の次のプレーについても同様なことが言える。すなわち、股関節伸筋は、前後方向への骨盤の安定性に重要な役目を果たし、特に正常歩行時の股関節伸展に関与するものであり、地面をキックする種目（走る、バスケットボール、バレーボール等）は、骨盤が上下すると、力が分散して、次の動作に移れないと言う問題があり、また、バレーボールのジャンプにおいても、局面によっては膝を深く曲げずに跳躍できれば助走のスピードを生かして高く跳ぶことが有利であるが、このような場合には大腿後面を主体に跳ぶことが必要とされる。さらに、ボブスレーは、最初の押し出しが、その後のスピードを決めるが、最初の押し出しに使う筋肉がハムストリングスである。このように、ハムストリングスは各種スポーツにおいて重要な役割を果たすものであるが、しかし、一般には、訓練が十分になされていないので、ハムストリングスについては、良く使用される大腿部前面の筋肉に比べて弱いという指摘がなされている。本発明の運動用スパッツは、大腿部後面のハムストリングスの筋動作をサポートするのにも好適な運動用スパッツであり好ましい。
【００３９】
［丸編地構造］
（１０）丸編地が表糸と裏糸とからなる丸編地であって、カットボス編手法によって形成される部分は、前記表糸と裏糸の間に中糸が使用された３重構造となっている前記（１）〜（９）項のいずれかに記載の運動用スパッツ。
【００４０】
上記の本発明の好ましい態様とすることにより、比較的緊締力の強い部分が３重構造となっているので、十分な緊締力を発揮することが出来、好ましい。しかも、当て布などによる緊締力の強化手法のような、前述した問題点がなく、好ましい。
【００４１】
［丸編地の糸使い：その１］
（１１）表糸と裏糸と中糸が、次の（Ａ）及び（Ｂ）から選ばれたいずれかである前記（１０）項に記載の運動用スパッツ。
【００４２】
（Ａ）表糸と中糸が吸水速乾性糸からなり、裏糸が▲１▼弾性糸及び▲２▼吸水速乾性糸でカバリングされた弾性糸からなる群から選ばれたいずれかの弾性糸からなる。
【００４３】
（Ｂ）表糸と中糸のいずれか一方が吸水速乾性糸からなり、裏糸が▲２▼吸水速乾性糸でカバリングされた弾性糸からなる。
【００４４】
上記の本発明の好ましい態様とすることにより、前述の機能のほかに、更に、運動などにより汗をかいた際に早く汗を吸収し、かつ、早く汗を蒸発させるので、運動後においても、汗による衣類の肌へのべとつきなどの不快感が軽減された運動用スパッツが提供でき好ましい。
【００４５】
［丸編地の糸使い：その２］
（１２）表糸と中糸が天然繊維糸からなり、裏糸が弾性糸からなる前記（１０）項に記載の運動用スパッツ。
【００４６】
上記の本発明の好ましい態様とすることにより、一般的に合成繊維に比べて肌触りが暖かで、保温性の良好である天然繊維を用いることにより、前述の機能のほかに、更に、保温性が優れ、また、天然繊維の外観を有するファッション性にも優れた運動用スパッツが提供でき、好ましい。
【００４７】
［丸編地の糸使い：その３］
（１３）表糸と裏糸と中糸が、下記（Ａ）及び（Ｂ）から選ばれたいずれかである前記（１０）項に記載の運動用スパッツ。
【００４８】
（Ａ）表糸と中糸が発水性に優れた合成繊維糸からなり、裏糸が▲１▼弾性糸及び▲２▼発水性に優れた合成繊維糸でカバリングされた弾性糸からなる群から選ばれたいずれかの弾性糸からなる。
【００４９】
（Ｂ）表糸と中糸のいずれか一方が発水性に優れた合成繊維糸からなり、裏糸が▲２▼発水性に優れた合成繊維糸でカバリングされた弾性糸からなる。
【００５０】
上記の本発明の好ましい態様とすることにより、前述の機能のほかに、更に、発水性に優れた合成繊維糸が用いられるので、発水性に優れた合成繊維糸は、糸自体の保水性が小さく、汗などは、糸に吸収されずに、蒸発などにより、物理的に外に排出され、また、雨に当たっても、糸に水分が吸収されず、肌触りがサラサラして、さわやかな着用感を保つことができる。また、雨に濡れたり、洗濯した場合でも、比較的短時間で乾燥出来る運動用スパッツが提供され、好ましい。
【００５１】
［丸編地の糸使い：その４］
（１４）表糸と中糸が、天然繊維糸、合成繊維糸、または天然繊維と合成繊維の混合糸から選ばれた繊維糸からなり、且つ、ａ）表糸が天然繊維糸の場合には、中糸は、合成繊維糸、または、天然繊維と合成繊維の混合糸から選ばれた１種であり、ｂ）表糸が合成繊維糸の場合には、中糸は、天然繊維糸、または、天然繊維と合成繊維の混合糸から選ばれた１種であり、ｃ）表糸が天然繊維と合成繊維の混合糸の場合には、中糸は、天然繊維糸、合成繊維糸、または、天然繊維と合成繊維の混合糸から選ばれた１種である前記（１０）項に記載の運動用スパッツ。
【００５２】
上記の本発明の好ましい態様とすることにより、前述の機能のほかに、更に、天然繊維と合成繊維が、表糸と中糸の少なくともいずれかまたはその両者中に存在することになり、（１２）項や（１３）項などで説明した、機能が折衷されたような状態で発揮される運動用スパッツが提供され、好ましい。
【００５３】
［度目調整：膝部］
（１５）運動用のスパッツが、踝の上方から、または、膝下から、少なくともウエストラインまでの長さを有するスパッツであって、度目調整によって、比較的大きな度目に調整されて緊締力が比較的小さくされた部分が膝蓋部である前記（２）〜（１４）項のいずれかに記載の運動用スパッツ。
【００５４】
上記の本発明の好ましい態様とすることにより、膝の部分がより容易に伸縮できるので、膝の屈伸を伴う動作をより抵抗なく行うことが出来、膝を曲げた時の突っ張る感じをより少なくできる。
【００５５】
［度目調整：臀部］
（１６）運動用のスパッツが、踝の上方から、または、膝下から、少なくともウエストラインまでの長さを有するスパッツであって、度目調整によって、比較的大きな度目に調整されることにより緊締力が比較的小さくされた部分が、膝蓋部ならびに臀部のほぼ中央部分である前記（２）〜（１４）項のいずれかに記載の運動用スパッツ。
【００５６】
上記の本発明の好ましい態様とすることにより、膝の部分がより容易に伸縮できるので、膝の屈伸を伴う動作をより抵抗なく行うことが出来、膝を曲げた時の突っ張る感じをより少なくできるとともに、臀部の丸い膨らみをつぶさずに形良く保とともに、膝を曲げた際に臀部は後側に張り出してくるが、臀部の部分もより容易に伸縮できるので、その臀部の張り出しをより抵抗なく行うことが出来、従って、膝を曲げた時の突っ張る感じや、臀部の後側への張り出しによる、スパッツ後側のスパッツのウェスト部のずり下がりをより少なくでき好ましい。
【００５７】
【発明の実施の形態】
以下、図面を参照しながら、本発明の具体的実施の形態例について説明するが、本発明では、本発明のスパッツのどの部分に比較的緊締力の強い部分が配置されているか、比較的緊締力の強い部分が配置されている衣料上における位置の説明に身体の一部や筋肉や骨格相当部分の名称を使用している部分もあるので、理解を容易にするために、先ず、本発明で緊締力の強い部分の位置等の説明に使用する骨格や筋肉の人体における位置を説明しておく。
【００５８】
図８は図の右半分が人体下肢部の前面側から見た骨格図、また、左半分が人体下肢部の前面側から見た筋肉図である。図９は図の左半分が人体下肢部の後面側から見た骨格図、また、右半分が人体下肢部の後面側から見た筋肉図である。また、図１０は人体の右側の下肢部の外側側面側から見た一部骨格付きの筋肉図、また、図１１は人体の右側の下肢部の内側側面側から見た一部骨格付きの筋肉図である。尚、図８〜図１１において、本発明の説明に特に必要のない部分の筋肉や骨格は説明を省略している。
【００５９】
図８〜図１１において、７０１が中殿筋、７０２が大殿筋、７０３が大転子、７０４が外側広筋、７０５が腸脛靭帯、７０６が大内転筋、７０７が半膜様筋、７０８が半腱様筋、７０９が大腿二頭筋、７１０が薄筋、７１１が縫工筋、７１２が内側広筋、７１３が外側顆、７１４が内側顆、７１５が膝蓋部、７１６が前脛骨筋、７１７が脛骨体、７１８がヒラメ筋（７１８ａが外側のヒラメ筋で７１８ｂが内側のヒラメ筋）、７１９が腓腹筋（７１９ａが外側の腓腹筋で７１９ｂが内側の腓腹筋、７２０が長腓骨筋、７２１が外果、７２２が内果、７２３が大腿直筋である。
【００６０】
なお、各筋肉の筋繊維の方向は、図示の各筋肉中に示した細線の長さ方向であり、この筋繊維の方向が筋肉の収縮方向である。なお、これらの骨格や筋肉の位置、形、大きさは個体それぞれに応じて若干相違するので、上記筋肉ならびに骨格図は代表例の一つとして示したものである。
【００６１】
上述したように骨格や筋肉の位置、形、大きさは個体それぞれに応じて相違するし、人体全体の大きさも相違するので、比較的緊締力の強い部分と比較的緊締力の弱い部分とが配置されている衣料上における位置が所定の指定された位置から多少のずれがあっても、本発明の目的が達成できる範囲においては差し支えない。
【００６２】
本発明においては、比較的緊締力の強い部分は、丸編地を編成する際にカットボス編手法を適用することによって形成される。以下、カットボス編手法を図１〜図３を用いて説明する。
【００６３】
図１〜図２は、丸編において、カットボス編手法を説明するための断面概念工程図である。点線の矢印Ａで示した側が丸編地の表側で、点線の矢印Ｂで示した側が丸編生地の裏側である。
【００６４】
まず、図１に示すように、表糸１と裏糸２を供給して丸編機で編む際にカットボス手法で、比較的緊締力を強くしたい部分に中糸３を表糸１と裏糸２の間に挿入して、表糸１と中糸３と裏糸２をそろえて供給して丸編機で編み込む。この部分は矢印４ａ〜４ｂの間と矢印４ｃ〜４ｄの間の部分である（尚、中糸３は、わかりやすいように１点鎖線で図示してある。）。そして、矢印４ｂ〜４ｃの間の部分の如く、比較的緊締力が弱い部分に該当する部分は、中糸３が表糸１と裏糸２の間に挿入されないように中糸３を裏側に浮かせて、表糸１と裏糸２のみで編む。次いで矢印４ａ、４ｂ、４ｃ、４ｄのところで裏側に浮かされた中糸３をカットし、図２に示したようなＺ1とＺ3の部分が中糸３が挿入されていて、比較的緊締力の強い部分となり、Ｚ2の部分が表糸１と裏糸２のみで編まれた比較的緊締力の弱い部分となる。
【００６５】
図３に、上述のカットボス編手法によって得られた丸編生地の断面概念図を示した。１ａが表糸１があらわれている丸編生地の表側、２ａが裏糸２があらわれている丸編生地の裏側、３ａが中糸３で構成された補強層であり、Ｚ1とＺ3の部分が、比較的緊締力の強い部分となり、Ｚ2の部分が比較的緊締力の弱い部分となる。
【００６６】
緊締力の比較的強い部分と緊締力の比較的弱い部分を、異なる丸編組織にして、編組織の相違のみで同程度の緊締力差をつけたり、中糸３のない度目調整のみで同程度の緊締力差を付与する場合に比べて、Ｚ1とＺ2とＺ3の部分は、比較的ひずみが小さく、前者の場合のように、歪が生じて、非着用状態で、衣料の表面がフラットでなく、前記緊締力の大きい部分と小さい部分とのパターンが凹凸状になり、ひずんだ形になり、製品の見栄えが非常に低下すると言う問題が生じにくい。しかも比較的緊締力の強い部分は、中糸３が挿入されて補強されているので、比較的緊締力の弱い部分との緊締力の差を大きくすることが可能になるのである。
更に、中糸３をどのコースのどのウェール位置からどのウェール位置まで挿入するかは、丸編機のコンピューターによる制御で実行できるので、所望の位置に所望のパターン状に強緊締力部が形成できるのである。
【００６７】
本発明においては、前記の如く比較的緊締力の強い部分と比較的緊締力の弱い部分をカットボス編手法のみで形成してもよいが、更に、丸編地における同一コース内での度目調整によって、緊締力の変化を付与する手法を併用してもよい。
【００６８】
次に図４、図６を用いて、本発明で必要に応じて採用する、丸編地における同一コース内での度目調整について説明する。説明を容易にするために、カットボス編手法を併用していない状態で説明する。図４は、同一コース内での度目調整を行った丸編地の編組織を概念的に示した平面図である。矢印Ｃの方向がコース方向であり、矢印Ｗの方向がウェールの方向である。夫々点線、実線は編み込まれている糸を示しており、点線で示された部分が編み込まれる糸のループが小さく従って度目の小さい、比較的緊締力の強い部分を形成する部分であり、実線で示された部分が編み込まれる糸のループが大きく従って度目の大きい、比較的緊締力の弱い部分を形成する部分である。
【００６９】
コースｘの糸について注目してみると、コースｘの糸は、ａ、ｂ、ｃのウェールは度目が小さく、小さな編ループで編まれており、この部分の緊締力は大きくなる。ｄ、ｅ、ｆのウェールは度目が大きく、大きな編ループで編まれており、この部分の緊締力は比較的弱くなる。そしてｇ、ｈ、ｉのウェールは度目が小さく、小さな編ループで編まれており、この部分の緊締力は大きくなる。すなわち、同一のコースｘ内での度目調整が行われている。同様に次のコースｙに注目してみると、コースｙの糸は、ａとｂの中間までのウェールは度目が小さく、小さな編ループで編まれており、この部分の緊締力は大きくなる。ｂの中間からｃ、ｄ、ｅ、ｆ、ｇのウェールは度目が大きく、大きな編ループで編まれており、この部分の緊締力は比較的弱くなる。そしてｈ、ｉのウェールは度目が小さく、小さな編ループで編まれており、この部分の緊締力は大きくなる。すなわち、同一のコースｙ内での度目調整が行われている。コースｚについては、説明を省略するが、上述の説明から容易に理解されるところである。
【００７０】
従来、度目調整によって衣類の緊締力を調整するには、図５や図７を用いてすでに説明したように、同一のコース内では度目調整は行われておらず、例えば、図５に示した如くコースｗ内やコースｘ内ではすべて度目が小さいままであり、コースｙ内やコースｚ内ではすべて度目は大きいままである。すなわち、同一のコース内での度目調整が行われていない。従って、度目調整により、所望の部分に所望のパターン状に、比較的緊締力の強い部分と弱い部分を形成することはできず、日本特開平３−８８０１号、日本特開平６−２９９４０１号の図にも示されているような、度目の異なる部分の境界が直線状のパターンとなる丸編地しか得られない。
【００７１】
本発明者らは、同一のコース内での度目調整をコース毎に適宜行うことによって、所望の部位に所望のパターンで緊締力の変化を付与できることを見出した。
【００７２】
従来の丸編機では、同一コース内での度目調整ができなかったが、例えばイタリアのＳＡＮＴＯＮＩ社製の“サントニー・超高速巻き取り装置付成形丸編機  モデル：ＳＭ８ＣＦ”などを使用して、次に説明するようなコンピューター制御により、実現できる。なお、丸編機として、上述の装置を用いることが限定されるわけではないが、上述の丸編機は、度目調整を１５段階（１５グレード）に設定できるようになっている。
【００７３】
上記の同一のコース内での度目調整技術を図６を用いて説明する。図６は、同一のコース内での度目調整を行った丸編地の平面図である。Ｃで示された矢印の方向は、コース方向を示しており、Ｗの矢印で示された方向がウェール方向を示している。
【００７４】
境界線６で区画された区画の内部が、度目が大きく、大きな編ループで編まれており、比較的緊締力の弱い部分であり、境界線６で区画された区画の外側が、度目が小さく、小さな編ループで編まれており、比較的緊締力の強い部分であるとする。このようなパターンに同一のコース内での度目調整を行って編み上げるには、例えば、Ｃm番目のコースを編む場合には、Ｗ1番目からＷm番目のウェールの間は度目を小さくして編み、Ｗm番目の次からＷn番目のウェールの間は度目を大きくして編み、次いでＷn番目の次からＷz番目のウェールの間は度目を小さくして編む。同様に、Ｃn番目のコースを編む場合には、Ｗ1番目からＷx番目のウェールの間は度目を小さくして編み、Ｗx番目の次からＷy番目のウェールの間は度目を大きくして編み、次いでＷy番目の次からＷz番目のウェールの間は度目を小さくして編むことになる。かかる編み方は、例えば前述のような丸編機のコンピューターに各コースと各ウェールについて、上述のような指令を入力することによって実現できる。
【００７５】
そして、本発明の如く、比較的緊締力の強い部分と比較的緊締力の弱い部分をカットボス編手法と、上述したような丸編地における同一コース内での度目調整によって、緊締力の変化を付与する手法を併用するには、例えば図６において、境界線６で区画された区画の外側のみが、図２で説明したような中糸３で補強されるようにカットボス編手法を用いればよい。カットボス編手法も、上述の同一コース内での度目調整と同様に、図６において、例えば、Ｃm番目のコースを編む場合には、Ｗ1番目からＷm番目のウェールの間は図１に示したように、中糸３を表糸１と裏糸２の間に挿入して編み、Ｗm番目の次からＷn番目のウェールの間は中糸３を裏側に浮かせてそれをカットして除去し、表糸１と裏糸２のみで編み、次いでＷn番目の次からＷz番目のウェールの間は中糸３を表糸１と裏糸２の間に挿入して編む。同様に、Ｃn番目のコースを編む場合には、Ｗ1番目からＷx番目のウェールの間は図１に示したように、中糸３を表糸１と裏糸２の間に挿入して編み、Ｗx番目の次からＷy番目のウェールの間は中糸３を裏側に浮かせてそれをカットして除去し、表糸１と裏糸２のみで編み、次いでＷy番目の次からＷz番目のウェールの間は中糸３を表糸１と裏糸２の間に挿入して編むことになる。かかる編み方は、例えば前述のような丸編機のコンピューターに各コースと各ウェールについて、上述のような指令を入力することによって実現できるのである。
【００７６】
次に、本発明の理解を容易にするために、図面を参照しながら、本発明の運動用スパッツの具体的実施の形態例について説明するが、本発明の運動用スパッツは、図示したもののみに限定されるものではない。
【００７７】
図１２は本発明の運動用スパッツの一実施態様の正面図、図１３はその背面図、図１４は正面図を基準とした場合の正面図の右側から見た場合に相当するスパッツの側面図である。以下、このような、正面図の右側から見た場合に相当する側面図のことを単に右側面図と略称する。
【００７８】
図１２〜図１４に示した運動用のスパッツにおいては、比較的緊締力の強い部分の領域が分かるように、比較的緊締力の強い部分にハッチングを入れて図示してある。以下、特に断らない限り、即ち、断面を示すハッチングの場合などを除いて、他の実施態様についても同様である。また、スパッツの比較的緊締力の強い部分などの位置を示すのに、人体の筋肉や靭帯、腱、骨などの名称を用いて説明しているが、これは、比較的緊締力の強い部分などが、人体の当該筋肉や靭帯、腱、骨などの存在する部分上またはその近傍上を通っていることを示すために、前記筋肉や骨などの名称を用いて略述したものである。また、図示した運動用のスパッツを構成する丸編地のコース方向は、スパッツのほぼ横方向であり、ウェール方向は、スパッツのほぼ縦方向である。他の実施態様においても同様である。スパッツを構成する丸編地のコース方向、ウェール方向は、上述した態様が好ましいが、本発明はこれに限定されるものではない。
【００７９】
図１２〜図１４に示した運動用のスパッツは、ウエストラインから踝の上方までの長さを有する運動用のスパッツである。この運動用のスパッツにおいては、左右の比較的緊締力の強い部分１０ａ、１０ｂは、脇部のウェストライン１０１を上端として大腿外側部の中殿筋及び腸脛靭帯２１から大転子２２を経由し、前側において腸脛靭帯及び外側広筋２３に沿って、ならびに後側において大腿二頭筋２４の一部に当接し、膝上部２５に至る部分である。その他の部分は、比較的緊締力の弱い部分である。緊締力の比較的強い部分１０ａおよび１０ｂは、カットボス編手法により、比較的緊締力の弱い部分に比べて、緊締力が強くされている。尚、１００ａ、１００ｂは、前中心と後中心の縫合ラインである。
【００８０】
上記の態様の本発明の運動用スパッツにおいては、腰部から大腿部の左右側面の筋肉をサポートでき、下半身を使う諸運動時の筋肉の働きを補助するのに好適な運動用スパッツが提供できる。
【００８１】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【００８２】
次に、図１５〜図１７を用いて、本発明の運動用スパッツの別の一実施態様について説明する。図１５は本発明の運動用スパッツの別の一実施態様の正面図、図１６はその背面図、図１７はその右側面図である。
【００８３】
図１５〜図１７に示した運動用のスパッツは、ウエストラインから踝の上方までの長さを有する運動用のスパッツである。この運動用のスパッツにおいては、左右の比較的緊締力の強い部分１１ａ、１１ｂは、脇部のウェストライン１０１を上端として大腿外側部の中殿筋及び腸脛靭帯２１から大転子２２を経由し、前側部分は外側広筋及び腸脛靭帯２３に沿って膝蓋部３０を迂回する形で、膝下の前脛骨筋及び長腓骨筋３１を覆いながら外果１０２の上部に至り、後側部分は外側広筋２３′から大腿二頭筋２４を経由し、腓腹筋外側頭３２及び外側のヒラメ筋３３を経由し、外果１０２の上部近傍に至る部分である。その他の部分は、比較的緊締力の弱い部分である。緊締力の比較的強い部分１１ａおよび１１ｂは、カットボス編手法により、比較的緊締力の弱い部分に比べて、緊締力が強くされている。尚、１００ａ、１００ｂは、前中心と後中心の縫合ラインである。
【００８４】
上記の態様の本発明の運動用スパッツにおいては、腰部から大腿部、下腿部の外側面の筋肉及び、膝部を外側からサポートし、下半身を使う諸運動、特に膝の屈伸を伴う動作時の、筋肉の働きを補助する機能が発揮される。下半身全体の筋肉の働きが、ばらばらになり、無駄な働きをしないよう、筋肉に有効な働きをさせることを促進させることにも繋がる運動用スパッツを提供できる。
【００８５】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【００８６】
次に、図１８〜図２０を用いて、本発明の運動用スパッツの更に別の一実施態様について説明する。図１８は本発明の運動用スパッツの更に別の一実施態様の正面図、図１９はその背面図、図２０は図１８のＡ−Ａ′ラインにおける断面図である。
【００８７】
図１８〜図２０に示した運動用のスパッツは、ウエストラインから踝の上方までの長さを有する運動用のスパッツである。この運動用のスパッツにおいては、比較的緊締力の強い部分１２ａ、１２ｂが、股下の脇部１０３を上端とし、大腿内側部の薄筋及び大内転筋４１から、前方では縫工筋４２を経由し膝上の内側広筋４３に至り、後方では半腱様筋及び半膜様筋４４に至る部分である。その他の部分は、比較的緊締力の弱い部分である。緊締力の比較的強い部分１２ａおよび１２ｂは、カットボス編手法により、比較的緊締力の弱い部分に比べて、緊締力が強くされている。尚、１００ａ、１００ｂは、前中心と後中心の縫合ライン、図２０における１０４は、図１８のＡ−Ａ′ラインにおける切断面を示している。
【００８８】
上記の態様の本発明の運動用スパッツにおいては、大腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのに好適な運動用スパッツが提供できる。
【００８９】
また、大腿内側の筋肉は、加齢により衰えやすい筋肉でもあるが、加齢などで衰えてしまった筋肉の働きのサポートにも好適な運動用スパッツが提供できる。
【００９０】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【００９１】
次に、図２１〜図２３を用いて、本発明の運動用スパッツの更に別の一実施態様について説明する。図２１は本発明の運動用スパッツの更に別の一実施態様の正面図、図２２はその背面図、図２３は図２１のＡ−Ａ′ラインにおける断面図である。
【００９２】
図２１〜図２３に示した運動用のスパッツは、ウエストラインから踝の上方までの長さを有する運動用のスパッツである。この運動用のスパッツにおいては、比較的緊締力の強い部分１３ａ、１３ｂが、股下の脇部１０３を上端とし、大腿内側部の薄筋４１′から、前側部分は縫工筋４２を経由し膝上の内側広筋４３に至るとともに、膝蓋部２５を迂回する形で内側顆５０を経由し、脛骨体５１から内果の上部１０５に至るとともに、後側部分は、内側顆５０を経由し内側腓腹筋５２及び内側ヒラメ筋５３の一部に沿いながら、内果の上部１０５に至る部分である。緊締力の比較的強い部分１３ａおよび１３ｂは、カットボス編手法により、比較的緊締力の弱い部分に比べて、緊締力が強くされている。尚、１００ａ、１００ｂは、前中心と後中心の縫合ライン、図２３における１０４は、図２１のＡ−Ａ′ラインにおける切断面を示している。
【００９３】
上記の態様の本発明の運動用スパッツにおいては、大腿部内側及び下腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのにより一層好適な、運動用スパッツが提供できる。
【００９４】
また、大腿内側の筋肉は、加齢により衰えやすい筋肉でもあるので、加齢などで衰えてしまった筋肉の働きのサポートにもより一層好適な運動用スパッツが提供できる。
【００９５】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【００９６】
次に、図２４〜図２６を用いて、本発明の運動用スパッツの更に別の一実施態様について説明する。図２４は本発明の運動用スパッツの更に別の一実施態様の正面図、図２５はその背面図、図２６はその右側面図である。
【００９７】
図２４〜図２６に示した運動用のスパッツは、ウエストラインから踝の上方までの長さを有する運動用のスパッツである。この運動用のスパッツにおいては、左右の比較的緊締力の強い部分として、１４ａ、１５ａ、１４ｂ、１５ｂを有している。比較的緊締力の強い部分１４ａ、１４ｂは、脇部のウェストライン１０１を上端として大腿外側部の中殿筋及び腸脛靭帯２１から大転子２２を経由し、前側部分は腸脛靭帯及び外側広筋２３に沿って、後側部分は大腿二頭筋２４の一部に当接し、膝上部２５に至る部分である。また、比較的緊締力の強い部分１５ａ、１５ｂは、股下の脇部を上端とし、大腿内側部の薄筋及び大内転筋４１から、前側部分は縫工筋４２を経由し膝上の内側広筋４３に至り、後側部分は半腱様筋及び半膜様筋４４に当接される部分である。その他の部分は、比較的緊締力の弱い部分である。緊締力の比較的強い部分１４ａ、１５ａ、１４ｂ、１５ｂは、カットボス編手法により、比較的緊締力の弱い部分に比べて、緊締力が強くされている。尚、１００ａ、１００ｂは、前中心と後中心の縫合ラインである。
【００９８】
上記の態様の本発明の運動用スパッツにおいては、腰部から、大腿部の筋肉を、外側と内側からサポートでき、また、両側からサポートされることから、筋肉がバランスよい働きをすることを補助できる運動用スパッツが提供できる。
【００９９】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１００】
次に、図２７〜図３０を用いて、本発明の運動用スパッツの更に別の一実施態様について説明する。図２７は本発明の運動用スパッツの更に別の一実施態様の正面図、図２８はその背面図、図２９はその右側面図、図３０は図２７のＡ−Ａ′ラインにおける断面図である。
【０１０１】
図２７〜図３０に示した運動用のスパッツは、ウエストラインから踝の上方までの長さを有する運動用のスパッツである。この運動用のスパッツにおいては、左右の比較的緊締力の強い部分として、１６ａ、１６ｂを有している。比較的緊締力の強い部分１６ａ、１６ｂは、脇部のウェストライン１０１を上端として大腿外側部の中殿筋及び腸脛靭帯２１から大転子２２を経由し、二股に分岐し、前側分岐部分１６ａ1、１６ｂ1は外側広筋から腸脛靭帯２３に沿って膝蓋部３０を迂回する形で、膝下の前脛骨筋及び長腓骨筋３１を覆いながら外果の上部１０２に至り、その後側分岐部分１６ａ2、１６ｂ2は大腿二頭筋２４を直角には横切らずに斜めに横切り、半膜様筋及び半腱様筋の下方４４′、あるいは、内側顆５０の上方に至っており、大腿内側部１６ａ3、１６ｂ3においては、薄筋４１′から、前側部分は縫工筋４２を経由し膝上の内側広筋４３に至るとともに、更に膝蓋部３０を迂回する形で内側顆５０を経由し、脛骨体５１から内果の上部１０５に至り、またその後側部分は内側顆５０を経由し、内側の腓腹筋５２及び内側のヒラメ筋５３の一部に沿いながら、内果の上部１０５に至る部分である。その他の部分は、比較的緊締力の弱い部分である。緊締力の比較的強い部分１６ａ（１６ａ1、１６ａ2、１６ａ3、）、１６ｂ（１６ｂ1、１６ｂ2、１６ｂ3）は、カットボス編手法により、比較的緊締力の弱い部分に比べて、緊締力が強くされている。尚、１００ａ、１００ｂは、前中心と後中心の縫合ライン、図３０における１０４は、図２７のＡ−Ａ′ラインにおける切断面を示している。
【０１０２】
上記の態様の本発明の運動用スパッツにおいては、腰部、大腿部、下腿部及び膝部をサポートでき、下肢の筋肉の働きをバランスよく補助できる運動用スパッツが提供できる。特に、膝蓋骨を、強緊縮力部でもってその上下左右からサポートすることによって、膝の動きを不必要に阻害せずに、運動による負担のかかり易い膝をサポートできる。また、大腿背面の筋肉である、ハムストリングスもサポートするため、様々な下肢の運動、動作を有効に補助できる運動用スパッツが提供できる。従って、スポーツ用としては、きわめて好ましいタイプの運動用スパッツである。尚、ハムストリングスについては、すでに説明した通りであるので、ここでは説明を省略する。
【０１０３】
図３１に参考のため、上記図２７〜図３０で説明した本発明の運動用スパッツの人体基準で右側の身頃の展開図を示した。左側の身頃も左右線対称であって同様であるので、図示を省略した。Ｂ−ＣラインとＥ−Ｄラインを縫合して、筒状にして脚部を形成し、Ｆ−Ｅラインは左側の身頃の対応する部分と縫合し、その縫合ラインは図２７の１００ａで示されるラインとなる。また、Ａ−Ｂラインは左側の身頃の対応する部分と縫合し、その縫合ラインは図２８の１００ｂで示されるラインとなる。他の態様においても、緊締力の比較的強い部分のパターンが変わるだけで、ほぼ同様である。
【０１０４】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１０５】
次に、図３２〜図３４を用いて、本発明の運動用スパッツの更に別の一実施態様について説明する。図３２は本発明の運動用スパッツの更に別の一実施態様の正面図、図３３はその背面図、図３４はその右側面図である。この運動用のスパッツにおいては、左右の比較的緊締力の強い部分のパターンは図２７〜図３０で説明した態様と同一であり、同一部分には同一の符号を付して説明を省略した。また、この運動用スパッツにおいて、図２７のＡ−Ａ′ラインによる切断面の断面図に相当する図面も、図３０と実質上同一なので図示を省略した。
【０１０６】
この運動用スパッツが図２７〜図３０で説明した態様のスパッツと異なる点は、この運動用スパッツにおいては、丸編地における同一コース内での度目調整によって、緊締力の変化が、更に付加されている点である。膝蓋部３０の比較的緊締力の弱い部分の領域における度目を大とし、他の部分の度目は中程度とした。従って、緊締力の比較的強い部分１６ａ（１６ａ1、１６ａ2、１６ａ3、）、１６ｂ（１６ｂ1、１６ｂ2、１６ｂ3）は、カットボス編手法により最も緊締力が大きくされた部分であり、膝蓋部３０の領域内は度目が大となっているのでその部分の緊締力は最も小さくなっており、これ以外の比較的緊締力の弱い部分に該当する部分は、緊締力の比較的強い部分１６ａ、１６ｂの部分よりも緊締力は小さく、膝蓋部３０よりも緊締力が大きくなっている。従って、このスパッツは緊締力変化が３段階になっている。
【０１０７】
上記の態様の本発明の運動用スパッツにおいては、腰部、大腿部、下腿部及び膝部をサポートでき、下肢の筋肉の働きをバランスよく補助できる運動用スパッツが提供できる。特に、膝蓋骨を、強緊縮力部でもってその上下左右からサポートすることによって、膝の動きを不必要に阻害せずに、運動による負担のかかり易い膝をサポートできる。しかも、比較的緊締力が弱い部分のうちでも、特に膝蓋部３０の部分の緊締力が小さくされているので、膝の屈伸をより一層スムーズに行うことができる。また、大腿背面の筋肉である、ハムストリングスもサポートするため、様々な下肢の運動、動作を有効に補助できる運動用スパッツが提供できる。従って、スポーツ用としては、きわめて好ましいタイプの運動用スパッツである。
【０１０８】
上記実施態様の本発明の運動用スパッツにおいては、緊締力の比較的強い部分と弱い部分とを、カットボス編手法と丸編地における同一コース内での度目調整との併用によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１０９】
本発明においては、通常、度目調整において、度目が大の範囲としては、度目が５６〜６０度、度目が中の範囲としては、度目が４５〜５５度、度目が小の範囲としては、度目が３０〜４４度の範囲を採用することが好ましい。本発明の具体的実施態様においては、度目中の部分の度目は５０度、度目大の部分の度目は５７度、度目小の部分の度目は４０度とした。以下の具体例として挙げた実施態様の例についても同様である。この度目の「度」は、従来より角度の単位が用いられている。詳細説明は省略するが、度目の調整は、丸編機に供給される糸の角度によって調整されるため、度目の単位も角度の単位を用いている。度目は、別の言葉で表現すれば、ループ長とも呼ばれており、度目（ループ長）が大きいと、編目が大きくなり、従って、伸び易くなり、緊締力は小さくなる。度目（ループ長）が小さいと、編目が小さくきつくなり、従って、伸びにくくなり、緊締力は大きくなる。
【０１１０】
次に、図３５〜図３７を用いて、本発明の運動用スパッツの更に別の一実施態様について説明する。図３５は本発明の運動用スパッツの更に別の一実施態様の正面図、図３６はその背面図、図３７はその右側面図である。この運動用のスパッツにおいては、左右の比較的緊締力の強い部分のパターンは図２７〜図３０で説明した態様と同一であり、同一部分には同一の符号を付して説明を省略した。また、この運動用スパッツにおいて、図２７のＡ−Ａ′ラインによる切断面の断面図に相当する図面も、図３０と実質上同一なので図示を省略した。
【０１１１】
この運動用スパッツが図２７〜図３０で説明した態様のスパッツと異なる点は、この運動用スパッツにおいては、丸編地における同一コース内での度目調整によって、緊締力の変化が、更に付加されている点である。
【０１１２】
緊締力の比較的強い部分１６ａ（１６ａ1、１６ａ2、１６ａ3、）、１６ｂ（１６ｂ1、１６ｂ2、１６ｂ3）は、図２７〜図３０で説明した態様のスパッツと同様にカットボス編手法により、緊締力が強くされている。これ以外の比較的緊締力の弱い部分においては、同一コース内の度目調整により、度目の大きい部分、度目が中の部分、度目が小の部分に更に３段階に度目調整により緊締力の変化が付与されている。カットボス編手法により、緊締力が最も強くされている部分の度目は中としている。従って、本実施態様の運動用スパッツにおいては、合計４段階の緊締力変化が施されている。
【０１１３】
膝蓋部３０の比較的緊締力の弱い部分の領域における度目を大とし、膝の動きをよりスムーズに行えるようにし、腹部部分７０の度目は小とし、腹部の形を整え、大腿直筋部分７１の度目を中にして大腿前面の筋肉（大腿直筋など）の動きに追従し易くなるようにし、すね部分７２は、あまり筋肉が存在しないので、フィット性を向上させるため、度目を小とし、ヒップ部分７３は、度目を大として、ヒップの膨らみをつぶさず、運動によりヒップが後側に張り出た場合でも、追従し易くし、膝の後ろ側の部分７４は、度目を小とし、皺の発生を少なくし、ふくらはぎの部分７５は、ふくらはぎの筋肉の活動をあまり妨げないように、また、運動によるふくらはぎの膨張、収縮に追従し易いように、しかも裾部が身体にフィットし易いようにその度目は中としたものである。
【０１１４】
特に大腿直筋部分７１の度目を中にすることにより、度目を比較的大きくし、この部分がよく伸びる様にすることが好ましい。大腿直筋は、運動時の収縮による形状変化の大きい筋肉である。大転子２２から外側広筋、腸脛靭帯２３にかけて、比較的緊締力の強い部分１６ａ、１６ｂが当接されることにより、大腿直筋の脇側から力か加わり、大腿直筋の収縮運動は、間接的にサポートされることになる。そして、大腿直筋の筋腹部分に当接されるのは、比較的よく伸びる編地とすることにより、大腿直筋の収縮運動を阻害することなく、大腿直筋の収縮運動を促進することになる。
【０１１５】
上記の態様の本発明の運動用スパッツにおいては、腰部、大腿部、下腿部及び膝部をサポートでき、下肢の筋肉の働きをバランスよく補助できる運動用スパッツが提供できる。特に、膝蓋骨を、強緊縮力部でもってその上下左右からサポートすることによって、膝の動きを不必要に阻害せずに、運動による負担のかかり易い膝をサポートできる。しかも、比較的緊締力が弱い部分のうちでも、上述したような３段階のコース内度目調整を行って、更に上述したような機能と、着用感の向上を達成している。
【０１１６】
また、前記の態様と同様に、大腿背面の筋肉である、ハムストリングスもサポートするため、様々な下肢の運動、動作を有効に補助できる運動用スパッツが提供できる。従って、スポーツ用としては、きわめて好ましいタイプの運動用スパッツである。
【０１１７】
上記実施態様の本発明の運動用スパッツにおいては、緊締力の比較的強い部分と弱い部分とを、カットボス編手法と丸編地における同一コース内での度目調整との併用によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１１８】
次に、図３８〜図４０を用いて、本発明の運動用スパッツの更に別の一実施態様について説明する。図３８は本発明の運動用スパッツの更に別の一実施態様の正面図、図３９はその背面図、図４０はその右側面図である。この運動用のスパッツにおいては、脚部の長さが膝のすぐ下までしかない、膝下丈（６分丈）であるという点を除いては図３５〜図３７を用いて説明した運動用スパッツと、実質的に同一であるので、同一部分には、同一の符号を付して、重複説明を省略した。
【０１１９】
脚部の長さが異なる事によって生じる機能の相違を除いて、図３５〜図３７を用いて説明した運動用スパッツと、実質上同様の効果を達成できる。
【０１２０】
次に、図４１〜図４３を用いて、本発明の運動用スパッツの更に別の一実施態様について説明する。図４１は本発明の運動用スパッツの更に別の一実施態様の正面図、図４２はその背面図、図４３はその右側面図である。この運動用のスパッツにおいては、脚部の長さが膝のすぐ上までしかない、膝上丈（５分丈）であるという点を除いては図２７〜図３０を用いて説明した運動用スパッツと、実質的に同一であるので、同一部分には、同一の符号を付して、重複説明を省略した。
【０１２１】
脚部の長さが異なる事によって生じる機能の相違を除いて、図２７〜図３０を用いて説明した運動用スパッツと、実質上同様の効果を達成できる。
【０１２２】
次に、図４４〜図４７を用いて、本発明の運動用スパッツの更に別の一実施態様について説明する。図４４は本発明の運動用スパッツの更に別の一実施態様の正面図、図４５はその背面図、図４６はその右側面図、図４７は図４４のＡ−Ａ′ラインによる切断面の断面図である。この運動用のスパッツにおいては、左右の比較的緊締力の強い部分のパターンが図２７〜図３０で説明した態様と類似した変形態様であり、実質的に同一部分には同一の符号を付して説明を省略した。
【０１２３】
この運動用スパッツが図２７〜図３０で説明した態様のスパッツと主に異なる点は、カットボス編手法によって設けられた比較的緊締力の強い部分のパターンのうち、主として背面側にあらわれるパターンが異なっている。
【０１２４】
この運動用スパッツにおいては、比較的緊締力の強い部分１６ａ、１６ｂは、図４５からも明らかなように、外側を通る比較的緊締力の強い部分１６ａ1または１６ｂ1と内側を通る比較的緊締力の強い部分１６ａ3または１６ｂ3とが、背面側の大腿二頭筋２４と半膜様筋及び半腱様筋の下方４４′の部分ならびに左右の腓腹筋の下側部分５４において、連結している点である。この態様とすることにより、図２７〜図３０で説明した態様のスパッツと同様の機能が発揮できるとともに、脚部背面側の筋肉をより強力にサポートし、若干の着用感の低下があるもののよりハードな運動に対し、筋肉疲労の軽減や肉離れを予防し、また、靭帯や腱の断裂や損傷などを予防したり、あるいは、運動能力を補助する機能をより強化した運動用のスパッツを提供するものである。５５は左右の腓腹筋の筋腹部分であり、この部分は左右の腓腹筋の機能を妨げないよう比較的緊締力の弱い部分としたものである。
【０１２５】
上記実施態様の本発明の運動用スパッツにおいては、緊締力の比較的強い部分と弱い部分とを、カットボス編手法によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１２６】
次に、図４８〜図４９を用いて、本発明の運動用スパッツの更に別の一実施態様について説明する。図４８は本発明の運動用スパッツの更に別の一実施態様の正面図、図４９はその背面図である。この運動用のスパッツにおいては、左右の比較的緊締力の強い部分のパターンが図３５〜図３７で説明した態様と極めて類似しているが、一部少し変形した態様であり、図３５〜図３７と実質的に同一部分には同一の符号を付して説明を省略した。
【０１２７】
この運動用スパッツが図３５〜図３７で説明した態様のスパッツと主に異なる点は、カットボス編手法によって設けられた比較的緊締力の強い部分のパターンのうち、主として正面側の膝蓋部を囲む上下部分と、後部ウェストライン近傍の部分のパターンの差異と、同一コース内における度目調整のパターンが若干異なっている点である。
【０１２８】
即ち、この態様の運動用スパッツの比較的緊締力の強い部分のパターンのうち、正面側の膝蓋部３０を囲む上下部分３０ａと３０ｂにおいて、比較的緊締力の強い部分が繋がっていない点である。膝をその上下左右からサポートするサポート力は図３５〜図３７に示したスパッツに比べて若干小さくなるが、膝の屈伸運動は、よりやり易くなる。
【０１２９】
また、別の相違点としては、比較的緊締力の強い部分のパターンのうち、後部ウェストライン近傍の部分のパターンが、脇部のウェストライン１０１から後中心部のウェストライン１０６まで伸びて後中心部で左右の比較的緊締力の強い部分１６ａと１６ｂとが連結している点である。これにより大殿筋もサポートし、骨盤の後傾を防止し、骨盤の位置を安定した位置に保つ機能を補助する機能が付与される。
【０１３０】
更に図３５〜図３７を用いて説明した運動用スパッツと、若干異なる点は、膝蓋部３０の下半分の背面側の緊締力が比較的弱い部分７６に度目調整の度目が小の部分を設け、膝の屈伸を妨げることなく、背面側からも膝のサポートを若干強化した点である。
【０１３１】
上述した差異を除いて、上記の運動用スパッツは、図３５〜図３７を用いて説明した運動用スパッツと、ほぼ同様の効果を達成できる。
【０１３２】
そして上記実施態様の本発明の運動用スパッツにおいても、緊締力の比較的強い部分と弱い部分とを、カットボス編手法と丸編地における同一コース内での度目調整との併用によって、上述したような所望のパターン状に設ける事が出来、しかも、比較的緊締力の大きい部分と弱い部分とのひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好な運動用のスパッツが提供できる。
【０１３３】
以上、運動用スパッツについての具体例を挙げて本発明について説明したが、本発明の目的が阻害されない限り、本発明の運動用スパッツには、上半身部分が更に付加されていてもよいことはもちろんである。上半身部が更に付加された態様は図示していないが、例えば、特開平１０-２８０２０９号公報（対応ＷＯ９８／４３５０４号）の図３４、図３５の符号８０ならびに８１で示される部分などである。
【０１３４】
また、図３２〜図３４、図３５〜図３７、図３８〜図４０、図４８〜図４９に示した例は、丸編地における同一コース内での度目調整によって、緊締力の変化が、更に付加されている態様であるが、例えば、図２７〜図３０や図４１〜図４３、図４４〜図４７を用いて説明した態様の如く、比較的緊締力の強い部分と弱い部分とをカットボス編手法のみで形成してもよい。また、図１２〜図３０、図４１〜図４７で示した態様のものは、比較的緊締力の強い部分と弱い部分とをカットボス編手法のみで形成しているが、図３２〜図３４、図３５〜図３７、図３８〜図４０、図４８〜図４９に示した態様の如く、カットボス編手法とともに、丸編地における同一コース内での度目調整によって、緊締力の変化が、更に付加されている態様としてもよい。
【０１３５】
さらには、本発明の運動用スパッツは、図２７〜図３１を代表例として取り上げて説明した如く、左右線対称の丸編地からなる２つの身頃を縫合することにより製造した例を示したが、製造方法は必ずしもこれに限定されるものではなく、例えば、上方から下方に向かうに従って、次第に脚部の太さを細くする場合など、例えば、特開平６−２９９４０１号公報の図２の符号３、４、５、６などで示される部分や特開平３−８８０１号公報の図面の符号３、４、５などに示される如く、ウェール方向において度目調整をすることにより、下方に向かうに従ってその径が小さくなるように度目を小さくして円筒形状に編むことにより、縫合なしで丸編機により製造してもよい。
【０１３６】
なお、本発明の運動用のスパッツにおいて採用する丸編組織は、丸編組織であれば特に限定するものではないが、プレーン編（平編）が好適である。
【０１３７】
丸編地を構成する繊維糸の種類も、特に限定するものではなく、ポリエステル、ナイロンなどで代表される各種の合成繊維糸、木綿、ウール、絹などで代表される天然繊維糸、レーヨンなどで代表される半合成繊維糸、ポリウレタン繊維糸などで代表される弾性繊維糸、あるいは、これらの少なくとも２種類の繊維が混在した混合繊維からなる糸、カバリングヤーン、吸水速乾性糸、その他の加工糸など各種の繊維糸を用いることができる。
【０１３８】
中でも、表糸と中糸が吸水速乾性糸からなり、裏糸が弾性糸からなる組合わせを採用した場合には、運動などにより汗をかいた際に早く汗を吸収し、かつ、早く汗を蒸発させるので、運動後においても、汗による衣類の肌へのべとつきなどの不快感が軽減された運動用スパッツが提供でき好ましい。
【０１３９】
吸水速乾性糸としては、特に限定するものではないが、例えば、“テクノファイン”（旭化成工業株式会社製）、“クールマックス”（米国デュポン社製）、“サーマスタット” （米国デュポン社製）など吸水速乾性糸として市販されているものなどが挙げられる。
【０１４０】
また、表糸と中糸が天然繊維糸からなり、裏糸が弾性糸からなる組合わせとすることにより、一般的に合成繊維に比べて肌触りが暖かで、保温性の良好である天然繊維を用いることにより、更に、保温性が優れ、また、天然繊維の外観を有するファッション性にも優れた運動用スパッツが提供でき、好ましい。
【０１４１】
また、表糸と中糸が発水性に優れた合成繊維糸からなり、裏糸が弾性糸からなる組み合わせを採用した場合など、発水性に優れた合成繊維糸を適宜用いた場合には、発水性に優れた合成繊維糸は、糸自体の保水性が小さく、汗などは、糸に吸収されずに、蒸発などにより、物理的に外に排出され、また、雨に当たっても、糸に水分が吸収されず、肌触りがサラサラして、さわやかな着用感を保つことができる。また、雨に濡れたり、洗濯した場合でも、比較的短時間で乾燥出来る運動用スパッツが提供でき、好ましい。
【０１４２】
発水性に優れた合成繊維糸としては、ポリエステル繊維糸や、アクリル繊維糸などが好ましく用いられる。
【０１４３】
更に、表糸と中糸が、天然繊維糸、合成繊維糸、または天然繊維と合成繊維の混合糸から選ばれた繊維糸からなり、且つ、ａ）表糸が天然繊維糸の場合には、中糸は、合成繊維糸、または、天然繊維と合成繊維の混合糸から選ばれた１種であり、ｂ）表糸が合成繊維糸の場合には、中糸は、天然繊維糸、または、天然繊維と合成繊維の混合糸から選ばれた１種であり、ｃ）表糸が天然繊維と合成繊維の混合糸の場合には、中糸は、天然繊維糸、合成繊維糸、または、天然繊維と合成繊維の混合糸から選ばれた１種である組合わせとすることにより、天然繊維と合成繊維が、表糸と中糸の少なくともいずれかまたはその両者中に存在することになり、前２つの段落で説明した機能が折衷されたような状態で発揮される運動用スパッツが提供でき、好ましい。
【０１４４】
なお、上記において、中糸は、カットボス編手法で緊締力を強くする部分に挿入される糸を想定している。従って、カットボス編手法が採用されていない領域、例えば図２や図３においてＺ2で示されている領域は、上記で説明した表糸と裏糸のみからなることになる。
【０１４５】
尚、弾性糸を使用する場合には、弾性糸のみからなる糸を用いてもよいが、目的に応じて、前述したような吸水速乾性糸、発水性に優れた合成繊維糸あるいは天然繊維糸などの他の繊維でカバリングされた弾性糸を用いることがより好適である。
【０１４６】
前述した具体的な実施例においては、特に限定するものではないが、表糸と中糸は、７５Ｄ（デニール）３６Ｆ（フィラメント）の“テクノファイン”（旭化成工業株式会社製ポリエステル糸）、裏糸は、弾性糸である４０Ｄの“ライクラ”（米国デュポン社製ポリウレタン糸）を、上記７５Ｄ、３６Ｆの“テクノファイン”でカバリングしたＦＴＹ（フィラメントツイストヤーン）を用いた。
【０１４７】
糸の撚り方向には、Ｓ撚りとＺ撚りのものがあるが、上記実施例では表糸と裏糸は、Ｓ撚りとＺ撚りのものをほぼ均等に配分して使用している。また、中糸はＺ撚りのものを使用している。表糸と裏糸で、Ｓ撚りとＺ撚りのものをほぼ均等に配分して使用することにより、形成された丸編地からなるスパッツの一方向への傾き変形を防止することができ好ましい。
【０１４８】
また、丸編地を構成する糸に、弾性糸を併用することは好ましく、弾性糸としては、２０〜７０Ｄの比較的細いフィラメントを用いることが好ましい。本発明の運動用のスパッツは、スポーツ用の衣類であり、衣類その物が筋肉の動きをサポートし、且つ、筋肉の動きに追従する機能の付与が目的であるので、体形補整機能を目的とするガードルの様な強く締め付ける緊締力は必要としないので、弾性糸としてはやや細目の弾性糸が好ましく用いられる。
【０１４９】
カットボス編手法を用いて、比較的緊締力が強くされた部分は、着用した場合に、その部分の着圧は、強くなるように作用する。カットボス編手法を用いて、比較的緊締力が強くされた部分は、挿入される中糸（足し糸とも言う）が存在するので、その部分の厚みは、若干厚くなり、緊締力も強くなる。ただ、裏打ち布などで裏打ちした場合に比べて、それほど厚みが大きくならず、見栄えが低下するほど、厚みによる凹凸差は生じない。
【０１５０】
比較的緊締力の強い部分の緊締力としては、特に限定するものではないが、ほぼその長さ方向で０．３Ｎ〜３．４Ｎの緊締力を有する様に設計することが好ましい。このような緊締力の範囲において、本発明の機能が効果的に発揮され、また、圧迫感が余りに強過ぎることもなく着用感が良好で好ましい。尚、比較的緊締力の弱い部分の緊締力が０．３Ｎを超えることがあっても、当該スパッツ中に設けられている比較的緊締力の強い部分よりも、その緊締力が小さければ差し支えない。
【０１５１】
比較的緊締力の強い部分や比較的緊締力の弱い部分などの編地の緊締力を測定する場合には、次の引張り試験を行って測定する。
【０１５２】
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所製“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長力（単位Ｎ）、［１ｇｆ≒０．００９８Ｎ］とし、次に伸度８０％まで伸ばした試験片に掛かる応力を取り去ると、試験片が元の長さに戻ろうとして収縮するが、伸度３０％まで回復した時の試験片に掛かる応力を緊締力（単位Ｎ）とする。これらの値は、上記引張試験機により自動的に記録される様に設定しておく。尚、伸長力、緊迫力とも、これらのデータは試験片２つの平均値を求めてそれぞれ伸長力、緊迫力とした。
【０１５３】
ここで、伸度（％）とは、伸ばした状態で伸び方向の生地の長さをｄ、伸ばす前の試料の元の長さ（すなわちつかみ間隔）をｅとすると、［（ｄ−ｅ）／ｅ］×１００の値である。
【０１５４】
尚、伸長力や緊迫力の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
【０１５５】
【発明の効果】
本発明の衣料は、次の様な機能を発揮し得る運動用のスパッツが提供される。
【０１５６】
（１）本発明の運動用スパッツは、踝の上方から、または、膝下から、または、膝上のいずれかから、少なくともウエストラインまでの長さを有し、丸編地からなる運動用のスパッツであって、前記スパッツは、運動に必要な筋肉のサポートの要求に応じて、所定部分に比較的緊締力の強い部分と比較的緊締力の弱い部分がパターン状に設けられており、比較的緊締力の強い部分が、カットボス編手法によって形成された部分である運動用スパッツからなる。
【０１５７】
従って本発明の運動用スパッツにおいては、緊締力の比較的強い部分と弱い部分を要求に応じて、任意の所望のパターン状に設ける事が出来、ひずみがそれほど大きくならないので、完成品における非着用状態での緊締力の比較的大きな部分と、緊締力の比較的小さい部分のパターンが、歪みにより顕著に目立ってしまうこともなく、しかも、緊締力の比較的大きな部分と緊締力の比較的小さい部分のパターンの境界で凹凸差があまり顕著に生じず、非着用状態で衣料の表面が比較的フラットで、製品の見栄えが極めて良好であり、緊締力の大きい部分と小さい部分との緊締力の差を大きくする事が可能であり、筋肉疲労の軽減や肉離れを予防し、また、靭帯や腱の断裂や損傷などを予防したり、あるいは、運動能力を補助するため特定の筋肉をサポートするのに好適なテーピング機能を有する運動用のスパッツが提供できる。
【０１５８】
（２）丸編地における同一コース内での度目調整によって、緊締力の変化が、更に付加されている上記の本発明の好ましい態様とすることにより、度目調整とカットボス編手法とが、併用されることにより、更に必要な部分の緊締力をより小さくしたり、より大きくしたりすることが出来、ニーズに応じた緊締力変化が付与された、運動用スパッツが提供され好ましい。しかも、同一コース内での度目調整を採用することによって、度目調整がなされた部分のパターンを任意の形状のパターンとすることができ、度目調整部分のパターンを要求に応じた任意のパターンに形成できる。
【０１５９】
（３）運動に必要な筋肉のサポートの要求が、運動に必要な筋肉、あるいは、運動により損傷を負いやすい筋肉、靭帯または腱の少なくとも1つ、に相当する箇所に対し、
ａ）筋肉の伸縮を助長するための要求、
ｂ）筋肉疲労の軽減や肉離れを予防し、また、靭帯や腱の断裂や損傷を予防するための要求、
から選ばれた要求であり、テーピング機能を有する上記の本発明の好ましい態様とすることにより、運動能力を補助または高めるための特定の筋肉をサポートしたり、あるいは、筋肉疲労の軽減や肉離れを予防し、また、靭帯や腱の断裂や損傷などを予防するのに好適な、テーピング機能を有する運動用のスパッツが提供される。運動用のスパッツのどの部位を比較的緊締力の強い部分で形成し、どの部分を比較的緊締力の弱い部分で形成するかを設計するに当たって、上述の要求をできるだけ満たすようにテーピング技術を応用して、設計でき好ましい。
【０１６０】
（４）比較的緊締力の強い部分が、少なくとも、大腿外側部の中殿筋及び／あるいは腸脛靭帯から大転子を経由し、ａ）前側において腸脛靭帯及び／あるいは外側広筋に沿って、及び／あるいは、ｂ）後側において大腿二頭筋上の一部に当接し、膝上部に至る部分である上記の本発明の好ましい態様とすることにより、腰部から大腿部の左右側面の筋肉をサポートでき、下半身を使う諸運動時の筋肉の働きを補助するのに好適な運動用スパッツが提供でき、好ましい。
【０１６１】
（５）運動用のスパッツが、踝の上方から少なくともウエストラインまでの長さを有する運動用のスパッツであって、比較的緊締力の強い部分が、少なくとも、大腿外側部の中殿筋及び／あるいは腸脛靭帯から大転子を経由し、前側部分は外側広筋及び腸脛靭帯に沿って膝蓋部を迂回する形で、膝下の前脛骨筋及び／あるいは長腓骨筋を覆いながら外果の上部に至り、後側部分は外側広筋から大腿二頭筋を経由し、腓腹筋外側頭及び外側のヒラメ筋を経由し、外果の上部近傍に至る部分である上記の本発明の好ましい態様とすることにより、腰部から大腿部、下腿部の外側面の筋肉及び、膝部を外側からサポートし、下半身を使う諸運動、特に膝の屈伸を伴う動作時の、筋肉の働きを補助する機能が発揮できる。下半身全体の筋肉の働きが、ばらばらになり、無駄な働きをしないよう、筋肉に有効な働きをさせることを促進させることにも繋がる運動用スパッツを提供でき好ましい。
【０１６２】
（６）比較的緊締力の強い部分が、少なくとも、大腿内側部の薄筋及び／あるいは大内転筋から、前方では縫工筋を経由し膝上の内側広筋に至り、後方では半腱様筋及び／あるいは半膜様筋に至る部分である上記の本発明の好ましい態様とすることにより、大腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのに好適な、運動用スパッツが提供され好ましい。
【０１６３】
また、大腿内側の筋肉は、加齢により衰えやすい筋肉でもあるが、加齢などで衰えてしまった筋肉の働きのサポートにも好適な運動用スパッツが提供され好ましい。
【０１６４】
（７）比較的緊締力の強い部分が、少なくとも、大腿内側部の薄筋から、前側部分は縫工筋を経由し膝上の内側広筋に至るとともに、膝蓋部を迂回する形で内側顆を経由し、脛骨体から内果の上部に至り、後側部分は、内側顆を経由し内側腓腹筋及び内側ヒラメ筋の一部に沿いながら、内果の上部に至る部分である上記の本発明の好ましい態様とすることにより、大腿部内側及び下腿部内側の筋肉をサポートし、特に内旋運動時には、この部位の筋肉が有効に働くので、内側に足をひねる動作を伴う運動の際に、これらの運動能力を補助したり、これらの筋肉の筋肉疲労の軽減や肉離れをなどを予防するのにより一層好適な、運動用スパッツが提供され好ましい。
【０１６５】
また、大腿内側の筋肉は、加齢により衰えやすい筋肉でもあるので、加齢などで衰えてしまった筋肉の働きのサポートにもより一層好適な運動用スパッツが提供され好ましい。
【０１６６】
（８）運動用のスパッツが、踝の上方から少なくともウエストラインまでの長さを有する運動用のスパッツであって、比較的緊締力の強い部分が、少なくとも、ａ）大腿外側部の中殿筋及び／あるいは腸脛靭帯から大転子を経由し、前側部分は腸脛靭帯及び外側広筋に沿って、後側部分は大腿二頭筋の一部に当接し、膝上部に至る部分と、ｂ）大腿内側部の薄筋及び／あるいは大内転筋から、前側部分は縫工筋を経由し膝上の内側広筋に至り、後側部分は半腱様筋及び／あるいは半膜様筋に当接される部分である上記の本発明の好ましい態様とすることにより、腰部から、大腿部の筋肉を、外側と内側からサポートでき、また、両側からサポートされることから、筋肉がバランスよい働きをすることを補助出来るので、好ましい。
【０１６７】
（９）運動用のスパッツが、踝の上方から少なくともウエストラインまでの長さを有する運動用のスパッツであって、比較的緊締力の強い部分が、ａ）大腿外側部の中殿筋及び／あるいは腸脛靭帯から大転子を経由し、二股に分岐し、前側分岐部分は外側広筋から腸脛靭帯に沿って膝蓋部を迂回する形で、膝下の前脛骨筋または／及び長腓骨筋を覆いながら外果の上部に至り、その後側分岐部分は大腿二頭筋を直角には横切らずに斜めに横切り、半膜様筋及び半腱様筋の下方、あるいは、内側顆の上方に至っており、ｂ）大腿内側部においては、薄筋から、前側部分は縫工筋を経由し膝上の内側広筋に至るとともに、更に膝蓋部を迂回する形で内側顆を経由し、脛骨体から内果の上部に至り、またその後側部分は内側顆を経由し、内側の腓腹筋及び内側のヒラメ筋の一部に沿いながら、内果の上部に至る部分である上記の本発明の好ましい態様とすることにより、腰部、大腿部、下腿部、及び膝部をサポートでき、下肢の筋肉の働きをバランスよく補助できる。特に、膝蓋骨を、強緊締力部でもってその上下左右からサポートすることによって、膝の動きを不必要に阻害せずに、運動による負担のかかり易い膝をサポートできる。また、大腿背面の筋肉である、ハムストリングスもサポートするため、様々な下肢の運動、動作を有効に補助できる運動用スパッツが提供でき、好ましい。
【０１６８】
特に比較的緊締力の強い部分がハムストリングスをサポートしているタイプについては、大腿二頭筋、半腱様筋、半膜様筋のほぼ筋肉収縮方向をサポートしているので、スポーツを行う場合に、脚部のこれらの筋肉をサポートするとともに、マッサージ効果が生起し、血液、リンパ球の流れが促進されることにより、エネルギーの消耗や乳酸の蓄積によって生じた筋肉疲労の回復が促進できる。また、走行動作における地面を強く後ろに押す機能、ジャンプ時により高く跳ぶ機能、足を上げる機能などがより強化される。また高齢者が着用した場合には、転倒を防止し歩行の安定性を高める機能がより一層強化される。
【０１６９】
（１０）丸編地が表糸と裏糸とからなる丸編地であって、カットボス編手法によって形成される部分は、前記表糸と裏糸の間に中糸が使用された３重構造となっている上記の本発明の好ましい態様とすることにより、比較的緊締力の強い部分が３重構造となっているので、十分な緊締力を発揮することが出来、好ましい。しかも、当て布などによる緊締力の強化手法のような、前述した問題点がなく、好ましい。
【０１７０】
（１１）表糸と裏糸と中糸が、次の（Ａ）または（Ｂ）すなわち、
「（Ａ）表糸と中糸が吸水速乾性糸からなり、裏糸が▲１▼弾性糸及び▲２▼吸水速乾性糸でカバリングされた弾性糸からなる群から選ばれたいずれかの弾性糸からなる。
【０１７１】
（Ｂ）表糸と中糸のいずれか一方が吸水速乾性糸からなり、裏糸が▲２▼吸水速乾性糸でカバリングされた弾性糸からなる。」
から選ばれたいずれかである上記の本発明の好ましい態様とすることにより、前述の機能のほかに、更に、運動などにより汗をかいた際に早く汗を吸収し、かつ、早く汗を蒸発させるので、運動後においても、汗による衣類の肌へのべとつきなどの不快感が軽減された運動用スパッツが提供でき好ましい。
【０１７２】
（１２）表糸と中糸が天然繊維糸からなり、裏糸が弾性糸からなる上記の本発明の好ましい態様とすることにより、一般的に合成繊維に比べて肌触りが暖かで、保温性の良好である天然繊維を用いることにより、前述の機能のほかに、更に、保温性が優れ、また、天然繊維の外観を有するファッション性にも優れた運動用スパッツが提供でき、好ましい。
【０１７３】
（１３）表糸と裏糸と中糸が、下記（Ａ）または（Ｂ）すなわち、
「（Ａ）表糸と中糸が発水性に優れた合成繊維糸からなり、裏糸が▲１▼弾性糸及び▲２▼発水性に優れた合成繊維糸でカバリングされた弾性糸からなる群から選ばれたいずれかの弾性糸からなる。
【０１７４】
（Ｂ）表糸と中糸のいずれか一方が発水性に優れた合成繊維糸からなり、裏糸が▲２▼発水性に優れた合成繊維糸でカバリングされた弾性糸からなる。」
から選ばれたいずれかである本発明の好ましい態様とすることにより、前述の機能のほかに、更に、発水性に優れた合成繊維糸が用いられるので、発水性に優れた合成繊維糸は、糸自体の保水性が小さく、汗などは、糸に吸収されずに、蒸発などにより、物理的に外に排出され、また、雨に当たっても、糸に水分が吸収されず、肌触りがサラサラして、さわやかな着用感を保つことができる。また、雨に濡れたり、洗濯した場合でも、比較的短時間で乾燥出来る運動用スパッツが提供され、好ましい。
【０１７５】
（１４）表糸と中糸が、天然繊維糸、合成繊維糸、または天然繊維と合成繊維の混合糸から選ばれた繊維糸からなり、且つ、ａ）表糸が天然繊維糸の場合には、中糸は、合成繊維糸、または、天然繊維と合成繊維の混合糸から選ばれた１種であり、ｂ）表糸が合成繊維糸の場合には、中糸は、天然繊維糸、または、天然繊維と合成繊維の混合糸から選ばれた１種であり、ｃ）表糸が天然繊維と合成繊維の混合糸の場合には、中糸は、天然繊維糸、合成繊維糸、または、天然繊維と合成繊維の混合糸から選ばれた１種である上記の本発明の好ましい態様とすることにより、前述の機能のほかに、更に、天然繊維と合成繊維が、表糸と中糸の少なくともいずれかまたはその両者中に存在することになり、（１２）項や（１３）項などで説明した、機能が折衷されたような状態で発揮される運動用スパッツが提供され、好ましい。
【０１７６】
（１５）運動用のスパッツが、踝の上方から、または、膝下から、少なくともウエストラインまでの長さを有するスパッツであって、度目調整によって、比較的大きな度目に調整されて緊締力が比較的小さくされた部分が膝蓋部である上記の本発明の好ましい態様とすることにより、膝の部分がより容易に伸縮できるので、膝の屈伸を伴う動作をより抵抗なく行うことが出来、膝を曲げた時の突っ張る感じをより少なくできる。
【０１７７】
（１６）運動用のスパッツが、踝の上方から、または、膝下から、少なくともウエストラインまでの長さを有するスパッツであって、度目調整によって、比較的大きな度目に調整されることにより緊締力が比較的小さくされた部分が、膝蓋部ならびに臀部のほぼ中央部分である上記の本発明の好ましい態様とすることにより、膝の部分がより容易に伸縮できるので、膝の屈伸を伴う動作をより抵抗なく行うことが出来、膝を曲げた時の突っ張る感じをより少なくできるとともに、臀部の丸い膨らみをつぶさずに形良く保とともに、膝を曲げた際に臀部は後側に張り出してくるが、臀部の部分もより容易に伸縮できるので、その臀部の張り出しをより抵抗なく行うことが出来、従って、膝を曲げた時の突っ張る感じや、臀部の後側への張り出しによる、スパッツ後側のスパッツのウェスト部のずり下がりをより少なくでき好ましい。
【図面の簡単な説明】
【図１】丸編における、カットボス編手法を説明するための断面概念工程図。
【図２】丸編における、カットボス編手法を説明するための断面概念工程図。
【図３】カットボス編手法によって得られた丸編生地の断面概念図。
【図４】同一コース内での度目調整を行った丸編地の編組織を概念的に示した平面図。
【図５】従来の丸編地の衣類に採用されている度目調整を説明するための丸編地の編組織を概念的に示した平面図。
【図６】同一のコース内での度目調整を行った丸編地の平面図。
【図７】従来の丸編地の衣類に採用されている度目調整を説明するための生地の一部の平面図。
【図８】右半分が人体下肢部の前面側から見た骨格図、また、左半分が人体下肢部の前面側から見た筋肉図。
【図９】左半分が人体下肢部の後面側から見た骨格図、また、右半分が人体下肢部の後面側から見た筋肉図。
【図１０】人体の右側の下肢部の外側側面側から見た一部骨格付きの筋肉図。
【図１１】人体の右側の下肢部の内側側面側から見た一部骨格付きの筋肉図。
【図１２】本発明の運動用スパッツの一実施態様の正面図。
【図１３】図１２に示した運動用スパッツの背面図。
【図１４】図１２に示した運動用スパッツの右側面図。
【図１５】本発明の運動用スパッツの別の一実施態様の正面図。
【図１６】図１５に示した運動用スパッツの背面図。
【図１７】図１５に示した運動用スパッツの右側面図。
【図１８】本発明の運動用スパッツの更に別の一実施態様の正面図。
【図１９】図１８に示した運動用スパッツの背面図。
【図２０】図１８に示した運動用スパッツのＡ−Ａ′ラインにおける断面図。
【図２１】本発明の運動用スパッツの更に別の一実施態様の正面図。
【図２２】図２１に示した運動用スパッツの背面図。
【図２３】図２１の運動用スパッツのＡ−Ａ′ラインにおける断面図。
【図２４】本発明の運動用スパッツの更に別の一実施態様の正面図。
【図２５】図２４に示した運動用スパッツの背面図。
【図２６】図２４に示した運動用スパッツの右側面図。
【図２７】本発明の運動用スパッツの更に別の一実施態様の正面図。
【図２８】図２７に示した運動用スパッツの背面図。
【図２９】図２７に示した運動用スパッツの右側面図。
【図３０】図２７の運動用スパッツのＡ−Ａ′ラインにおける断面図。
【図３１】図２７〜図３０で説明した本発明の運動用スパッツの人体基準で右側の身頃の展開図。
【図３２】本発明の運動用スパッツの更に別の一実施態様の正面図。
【図３３】図３２に示した運動用スパッツの背面図。
【図３４】図３２に示した運動用スパッツの右側面図。
【図３５】本発明の運動用スパッツの更に別の一実施態様の正面図。
【図３６】図３５に示した運動用スパッツの背面図。
【図３７】図３５に示した運動用スパッツの右側面図図。
【図３８】本発明の運動用スパッツの更に別の一実施態様の正面図。
【図３９】図３８に示した運動用スパッツの背面図。
【図４０】図３８に示した運動用スパッツの右側面図図。
【図４１】本発明の運動用スパッツの更に別の一実施態様の正面図。
【図４２】図４１に示した運動用スパッツの背面図。
【図４３】図４１に示した運動用スパッツの右側面図図。
【図４４】本発明の運動用スパッツの更に別の一実施態様の正面図。
【図４５】図４４に示した運動用スパッツの背面図。
【図４６】図４４に示した運動用スパッツの右側面図図。
【図４７】図４４の運動用スパッツのＡ−Ａ′ラインにおける断面図。
【図４８】本発明の運動用スパッツの更に別の一実施態様の正面図。
【図４９】図４８に示した運動用スパッツの背面図。
【符号の説明】
１        表糸
２        裏糸
３        中糸
４ａ、４ｂ、４ｃ、４ｄ  矢印
６        境界線
１０ａ、１０ｂ  比較的緊締力の強い部分
１１ａ、１１ｂ  比較的緊締力の強い部分
１２ａ、１２ｂ  比較的緊締力の強い部分
１３ａ、１３ｂ  比較的緊締力の強い部分
１４ａ、１５ａ、１４ｂ、１５ｂ  比較的緊締力の強い部分
１６ａ、１６ａ1、１６ａ2、１６ａ3  比較的緊締力の強い部分
１６ｂ、１６ｂ1、１６ｂ2、１６ｂ3  比較的緊締力の強い部分
２１      中殿筋及び腸脛靭帯
２２      大転子
２３      腸脛靭帯及び外側広筋
２３′    外側広筋
２４      大腿二頭筋
２５      膝上部
３０      膝蓋部
３０ａ、３０ｂ  膝蓋部３０を囲む上下部分
３１      前脛骨筋及び長腓骨筋
３２      腓腹筋外側頭
３３      外側のヒラメ筋
４１      薄筋及び大内転筋
４１′    薄筋
４２      縫工筋
４３      内側広筋
４４      半腱様筋及び半膜様筋
４４′    半膜様筋及び半腱様筋の下方
５０      内側顆
５１      脛骨体
５２      内側腓腹筋
５３      内側ヒラメ筋
５４      左右の腓腹筋の下側部分
５５      左右の腓腹筋の筋腹部分
７０      腹部部分
７１      大腿直筋部分
７２      すね部分
７３      ヒップ部分
７４      膝の後ろ側の部分
７５      ふくらはぎの部分
７６      膝蓋部３０の下半分の背面側の緊締力が比較的弱い部分
１００ａ、１００ｂ  前中心と後中心の縫合ライン
１０１    脇部のウェストライン
１０２    外果
１０３    股下の脇部
１０４    図１８の運動用スパッツのＡ−Ａ′ラインにおける切断面
１０５    内果の上部
１０６    後中心部のウェストライン
７０１    中殿筋
７０２    大殿筋
７０３    大転子
７０４    外側広筋
７０５    腸脛靭帯
７０６    大内転筋
７０７    半膜様筋
７０８    半腱様筋
７０９    大腿二頭筋
７１０    薄筋
７１１    縫工筋
７１２    内側広筋
７１３    外側顆
７１４    内側顆
７１５    膝蓋部
７１６    前脛骨筋
７１７    脛骨体
７１８    ヒラメ筋
７１８ａ  外側のヒラメ筋
７１８ｂ  内側のヒラメ筋
７１９    腓腹筋
７１９ａ  外側の腓腹筋
７１９ｂ  内側の腓腹筋
７２０    長腓骨筋
７２１    外果
７２２    内果
７２３    大腿直筋
【図１】
0003740344.tif 000002
【図２】
0003740344.tif 000003
【図３】
0003740344.tif 000004
【図４】
0003740344.tif 000005
【図５】
0003740344.tif 000006
【図６】
0003740344.tif 000007
【図７】
0003740344.tif 000008
【図８】
0003740344.tif 000009
【図９】
0003740344.tif 000010
【図１０】
0003740344.tif 000011
【図１１】
0003740344.tif 000012
【図１２】
0003740344.tif 000013
【図１３】
0003740344.tif 000014
【図１４】
0003740344.tif 000015
【図１５】
0003740344.tif 000016
【図１６】
0003740344.tif 000017
【図１７】
0003740344.tif 000018
【図１８】
0003740344.tif 000019
【図１９】
0003740344.tif 000020
【図２０】
0003740344.tif 000021
【図２１】
0003740344.tif 000022
【図２２】
0003740344.tif 000023
【図２３】
0003740344.tif 000024
【図２４】
0003740344.tif 000025
【図２５】
0003740344.tif 000026
【図２６】
0003740344.tif 000027
【図２７】
0003740344.tif 000028
【図２８】
0003740344.tif 000029
【図２９】
0003740344.tif 000030
【図３０】
0003740344.tif 000031
【図３１】
0003740344.tif 000032
【図３２】
0003740344.tif 000033
【図３３】
0003740344.tif 000034
【図３４】
0003740344.tif 000035
【図３５】
0003740344.tif 000036
【図３６】
0003740344.tif 000037
【図３７】
0003740344.tif 000038
【図３８】
0003740344.tif 000039
【図３９】
0003740344.tif 000040
【図４０】
0003740344.tif 000041
【図４１】
0003740344.tif 000042
【図４２】
0003740344.tif 000043
【図４３】
0003740344.tif 000044
【図４４】
0003740344.tif 000045
【図４５】
0003740344.tif 000046
【図４６】
0003740344.tif 000047
【図４７】
0003740344.tif 000048
【図４８】
0003740344.tif 000049
【図４９】
0003740344.tif 000050